(57)【特許請求の範囲】
【請求項１】
セルラー通信ネットワーク（１０）におけるワイヤレスデバイス（１６）の、アップリンク制御チャネル上で１つ以上のキャリアについてアップリンク制御情報を送信するための動作の方法であって、
第１のアップリンク制御チャネルフォーマットについての１つ以上の条件の第１のセットが充足される場合に、前記第１のアップリンク制御チャネルフォーマットを用いて、アップリンク制御チャネル送信信号を送信すること（２０２）と、
前記第１のアップリンク制御チャネルフォーマットについての１つ以上の条件の前記第１のセットが充足されない場合において、但し第２のアップリンク制御チャネルフォーマットについての１つ以上の条件の第２のセットが充足されるときに、前記第２のアップリンク制御チャネルフォーマットを用いて、前記アップリンク制御チャネル送信信号を送信すること（２０６）と、
前記第１のアップリンク制御チャネルフォーマットについての１つ以上の条件の前記第１のセット及び前記第２のアップリンク制御チャネルフォーマットについての１つ以上の条件の前記第２のセットの双方が充足されない場合に、第３のアップリンク制御チャネルフォーマットを用いて、前記アップリンク制御チャネル送信信号を送信すること（２０８）と、
を含み、
前記第３のアップリンク制御チャネルフォーマットは、複数の直交カバーコード（ＯＣＣ）を伴う単一の物理リソースブロック（ＰＲＢ）上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、及び、複数のＯＣＣを伴う複数のＰＲＢ上のＴＢＣＣを伴う修正されたフォーマット３、からなる群のうちの１つを用いるアップリンク制御チャネルフォーマットである、方法。
【請求項２】
前記セルラー通信ネットワーク（１０）は、３ＧＰＰ（Third  Generation  Partnership  Project）ネットワークであり、前記第１のアップリンク制御チャネルフォーマットは、フォーマット１ａ／１ｂであり、前記第２のアップリンク制御チャネルフォーマットは、フォーマット３である、請求項１に記載の方法。
【請求項３】
前記第３のアップリンク制御チャネルフォーマットは、ＰＵＳＣＨ（Physical  Uplink  Shared  Channel）構造を用いるアップリンク制御チャネルフォーマットである、請求項１に記載の方法。
【請求項４】
前記第２のアップリンク制御チャネルフォーマットについての１つ以上の条件の前記第２のセットは、前記アップリンク制御チャネル送信信号についてのフィードバックビットの所要数が閾値Ｍ２以下であるという条件を含む、請求項２に記載の方法。
【請求項５】
前記閾値Ｍ２は、２２に等しい、請求項４に記載の方法。
【請求項６】
前記第１のアップリンク制御チャネルフォーマットについての１つ以上の条件の前記第１のセットは、前記アップリンク制御チャネル送信信号についてのフィードバックビットの所要数が閾値Ｍ１以下であるという条件を含む、請求項４に記載の方法。
【請求項７】
前記閾値Ｍ１は、２に等しく、前記閾値Ｍ２は、２２に等しい、請求項６に記載の方法。
【請求項８】
前記第１のアップリンク制御チャネルフォーマットについての１つ以上の条件の前記第１のセットは、前記ワイヤレスデバイス（１６）のプライマリセル（ＰＣｅｌｌ）についてのみフィードバックビットを要するという条件をさらに含む、請求項６に記載の方法。
【請求項９】
前記閾値Ｍ１は、２に等しい、請求項８に記載の方法。
【請求項１０】
前記閾値Ｍ２は、２２に等しい、請求項８に記載の方法。
【請求項１１】
前記第１のアップリンク制御チャネルフォーマットについての１つ以上の条件の前記第１のセットは、（ａ）前記ワイヤレスデバイス（１６）のプライマリセル（ＰＣｅｌｌ）についてのみフィードバックビットを要するという条件、及び、（ｂ）当該アップリンク制御チャネルフォーマットについてのフィードバックビットの所要数が閾値Ｍ１以下であるという条件、を含む、請求項２に記載の方法。
【請求項１２】
前記閾値Ｍ１は、２に等しい、請求項１１に記載の方法。
【請求項１３】
前記ワイヤレスデバイス（１６）は、キャリアアグリゲーション方式に従って周波数分割複信（ＦＤＤ）プライマリセル（ＰＣｅｌｌ）と共に構成され、当該構成において、アップリンク制御チャネルは、前記ワイヤレスデバイス（１６）の前記ＦＤＤ  ＰＣｅｌｌ上で送信され、
１つ以上の条件の前記第１のセットは、フォーマット１ａ／１ｂへのフォールバックのためのものであって、（ａ）前記ワイヤレスデバイス（１６）のいかなるセカンダリセル（ＳＣｅｌｌ）上のダウンリンク共有チャネルに対応するダウンリンク制御チャネルも受信されないという条件、及び（ｂ）ダウンリンク共有チャネルが前記ワイヤレスデバイス（１６）の前記ＦＤＤ  ＰＣｅｌｌ上で受信されるという条件、を含む、請求項２に記載の方法。
【請求項１４】
前記ワイヤレスデバイス（１６）は、キャリアアグリゲーション方式に従って時間分割複信（ＴＤＤ）プライマリセル（ＰＣｅｌｌ）と共に構成され、当該構成において、アップリンク制御チャネルは、前記ワイヤレスデバイス（１６）の前記ＴＤＤ  ＰＣｅｌｌ上で送信され、
１つ以上の条件の前記第１のセットは、フォーマット１ａ／１ｂへのフォールバックのためのものであって、（ａ）前記ワイヤレスデバイス（１６）のいかなるセカンダリセル（ＳＣｅｌｌ）上のダウンリンク共有チャネルに対応するダウンリンク制御チャネルも受信されないという条件、及び（ｂ）ダウンリンク共有チャネルが前記ＴＤＤ  ＰＣｅｌｌ上でダウンリンク割り当てインジケータ（ＤＡＩ）値が"１"に設定されたただ１つのダウンリンクサブフレームにおいて受信されるという条件、を含む、請求項２に記載の方法。
【請求項１５】
前記ワイヤレスデバイス（１６）は、キャリアアグリゲーション方式に従って周波数分割複信（ＦＤＤ）又は時間分割複信（ＴＤＤ）プライマリセル（ＰＣｅｌｌ）と共に構成され、当該構成において、アップリンク制御チャネルは、前記ワイヤレスデバイス（１６）の前記ＰＣｅｌｌ上で送信され、
１つ以上の条件の前記第２のセットは、フォーマット３へのフォールバックのためのものであって、（ａ）前記ワイヤレスデバイス（１６）がＰＤＳＣＨ（Physical  Downlink  Shared  Channel）をセル上でＮ個のあり得るフィードバックビットのシーケンスにおいてＭ２個以下のフィードバックビット（Ｎ＞Ｍ２）のセグメントの範囲内でのみ受信するという条件、及び（ｂ）他のいかなるセル上でも前記ワイヤレスデバイス（１６）によりダウンリンク制御チャネルが受信されないという条件、を含む、請求項２に記載の方法。
【請求項１６】
前記ワイヤレスデバイス（１６）は、キャリアアグリゲーション方式に従って周波数分割複信（ＦＤＤ）プライマリセカンダリセル（ｐＳＣｅｌｌ）と共に構成され、当該構成において、アップリンク制御チャネルは、前記ワイヤレスデバイス（１６）の前記ＦＤＤ  ｐＳＣｅｌｌ上で送信され、１つ以上の条件の前記第１のセットは、フォーマット１ａ／１ｂへのフォールバックのためのものであって、（ａ）セルグループ内のいかなるセカンダリセル（ＳＣｅｌｌ）上のダウンリンク共有チャネルに対応するダウンリンク制御チャネルも受信されないという条件、及び（ｂ）ダウンリンク共有チャネルが前記ＦＤＤ  ｐＳＣｅｌｌ上で受信されるという条件、を含む、請求項２に記載の方法。
【請求項１７】
前記ワイヤレスデバイス（１６）は、キャリアアグリゲーション方式に従って時間分割複信（ＴＤＤ）プライマリセカンダリセル（ｐＳＣｅｌｌ）と共に構成され、当該構成において、アップリンク制御チャネルは、前記ワイヤレスデバイス（１６）の前記ＴＤＤ  ｐＳＣｅｌｌ上で送信され、１つ以上の条件の前記第１のセットは、フォーマット１ａ／１ｂへのフォールバックのためのものであって、（ａ）セルグループ内のいかなるセカンダリセル（ＳＣｅｌｌ）上のダウンリンク共有チャネルに対応するダウンリンク制御チャネルも受信されないという条件、及び（ｂ）ダウンリンク共有チャネルが前記ＴＤＤ  ｐＳＣｅｌｌ上でダウンリンク割り当てインジケータ（ＤＡＩ）値が"１"に設定されたただ１つのダウンリンクサブフレームにおいて受信されるという条件、を含む、請求項２に記載の方法。
【請求項１８】
セルラー通信ネットワーク（１０）において、アップリンク制御チャネル上で１つ以上のキャリアについてアップリンク制御情報を送信するように動作することを可能とされるワイヤレスデバイス（１６）であって、
１つ以上の送信機（４２）と、
１つ以上のプロセッサ（３６）と、
前記１つ以上のプロセッサ（３６）により実行可能な命令を含むメモリ（３８）と、を備え、それにより前記ワイヤレスデバイス（１６）は、
第１のアップリンク制御チャネルフォーマットについての１つ以上の条件の第１のセットが充足される場合に、前記第１のアップリンク制御チャネルフォーマットを用いて、アップリンク制御チャネル送信信号を前記１つ以上の送信機（４２）を介して送信し、
前記第１のアップリンク制御チャネルフォーマットについての１つ以上の条件の前記第１のセットが充足されない場合において、但し第２のアップリンク制御チャネルフォーマットについての１つ以上の条件の第２のセットが充足されるときに、前記第２のアップリンク制御チャネルフォーマットを用いて、前記アップリンク制御チャネル送信信号を前記１つ以上の送信機（４２）を介して送信し、
前記第１のアップリンク制御チャネルフォーマットについての１つ以上の条件の前記第１のセット及び前記第２のアップリンク制御チャネルフォーマットについての１つ以上の条件の前記第２のセットの双方が充足されない場合に、第３のアップリンク制御チャネルフォーマットを用いて、前記アップリンク制御チャネル送信信号を前記１つ以上の送信機（４２）を介して送信する、
ように動作可能であり、
前記第３のアップリンク制御チャネルフォーマットは、複数の直交カバーコード（ＯＣＣ）を伴う単一の物理リソースブロック（ＰＲＢ）上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、及び、複数のＯＣＣを伴う複数のＰＲＢ上のＴＢＣＣを伴う修正されたフォーマット３、からなる群のうちの１つを用いるアップリンク制御チャネルフォーマットである、ワイヤレスデバイス。
【請求項１９】
ソフトウェア命令を記憶した非一時的なコンピュータ読取可能な媒体であって、前記ソフトウェア命令は、ワイヤレスデバイス（１６）の１つ以上のプロセッサ（３６）により実行された場合に、前記ワイヤレスデバイス（１６）に、
第１のアップリンク制御チャネルフォーマットについての１つ以上の条件の第１のセットが充足される場合に、前記第１のアップリンク制御チャネルフォーマットを用いて、アップリンク制御チャネル送信信号を送信することと、
前記第１のアップリンク制御チャネルフォーマットについての１つ以上の条件の前記第１のセットが充足されない場合において、但し第２のアップリンク制御チャネルフォーマットについての１つ以上の条件の第２のセットが充足されるときに、前記第２のアップリンク制御チャネルフォーマットを用いて、前記アップリンク制御チャネル送信信号を送信することと、
前記第１のアップリンク制御チャネルフォーマットについての１つ以上の条件の前記第１のセット及び前記第２のアップリンク制御チャネルフォーマットについての１つ以上の条件の前記第２のセットの双方が充足されない場合に、第３のアップリンク制御チャネルフォーマットを用いて、前記アップリンク制御チャネル送信信号を送信することと、
を行わせ、
前記第３のアップリンク制御チャネルフォーマットは、複数の直交カバーコード（ＯＣＣ）を伴う単一の物理リソースブロック（ＰＲＢ）上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、及び、複数のＯＣＣを伴う複数のＰＲＢ上のＴＢＣＣを伴う修正されたフォーマット３、からなる群のうちの１つを用いるアップリンク制御チャネルフォーマットである、非一時的なコンピュータ読取可能な媒体。
【請求項２０】
請求項１から１７のいずれか１項に記載の方法に従って動作するように適合される、ワイヤレスデバイス（１６）。
【請求項２１】
少なくとも１つのプロセッサ上で実行された場合に、前記少なくとも１つのプロセッサに、請求項１から１７のいずれか１項に記載の方法を遂行させる命令、を含むコンピュータプログラム。
【請求項２２】
請求項２１に記載のコンピュータプログラムを含むコンピュータ読取可能な記憶媒体。
【請求項２３】
セルラー通信ネットワーク（１０）において、アップリンク制御チャネル上で１つ以上のキャリアについてアップリンク制御情報を送信するように動作することを可能とされるワイヤレスデバイス（１６）であって、
第１のアップリンク制御チャネルフォーマットについての１つ以上の条件の第１のセットが充足される場合に、前記第１のアップリンク制御チャネルフォーマットを用いて、アップリンク制御チャネル送信信号を送信し、
前記第１のアップリンク制御チャネルフォーマットについての１つ以上の条件の前記第１のセットが充足されない場合において、但し第２のアップリンク制御チャネルフォーマットについての１つ以上の条件の第２のセットが充足されるときに、前記第２のアップリンク制御チャネルフォーマットを用いて、前記アップリンク制御チャネル送信信号を送信し、
前記第１のアップリンク制御チャネルフォーマットについての１つ以上の条件の前記第１のセット及び前記第２のアップリンク制御チャネルフォーマットについての１つ以上の条件の前記第２のセットの双方が充足されない場合に、第３のアップリンク制御チャネルフォーマットを用いて、前記アップリンク制御チャネル送信信号を送信する、
ように動作可能なアップリンク制御チャネル送信モジュール（４８）、
を備え、
前記第３のアップリンク制御チャネルフォーマットは、複数の直交カバーコード（ＯＣＣ）を伴う単一の物理リソースブロック（ＰＲＢ）上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、及び、複数のＯＣＣを伴う複数のＰＲＢ上のＴＢＣＣを伴う修正されたフォーマット３、からなる群のうちの１つを用いるアップリンク制御チャネルフォーマットである、ワイヤレスデバイス。
【請求項２４】
セルラー通信ネットワーク（１０）において、アップリンク制御チャネル上で１つ以上のキャリアについてアップリンク制御情報を送信するように動作することを可能とされるワイヤレスデバイス（１６）であって、
第１のアップリンク制御チャネルフォーマットについての１つ以上の条件の第１のセットが充足される場合に、前記第１のアップリンク制御チャネルフォーマットを用いて、アップリンク制御チャネル送信信号を送信するための手段と、
前記第１のアップリンク制御チャネルフォーマットについての１つ以上の条件の前記第１のセットが充足されない場合において、但し第２のアップリンク制御チャネルフォーマットについての１つ以上の条件の第２のセットが充足されるときに、前記第２のアップリンク制御チャネルフォーマットを用いて、前記アップリンク制御チャネル送信信号を送信するための手段と、
前記第１のアップリンク制御チャネルフォーマットについての１つ以上の条件の前記第１のセット及び前記第２のアップリンク制御チャネルフォーマットについての１つ以上の条件の前記第２のセットの双方が充足されない場合に、第３のアップリンク制御チャネルフォーマットを用いて、前記アップリンク制御チャネル送信信号を送信するための手段と、
を備え、
前記第３のアップリンク制御チャネルフォーマットは、複数の直交カバーコード（ＯＣＣ）を伴う単一の物理リソースブロック（ＰＲＢ）上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、及び、複数のＯＣＣを伴う複数のＰＲＢ上のＴＢＣＣを伴う修正されたフォーマット３、からなる群のうちの１つを用いるアップリンク制御チャネルフォーマットである、ワイヤレスデバイス。
【発明の詳細な説明】
【技術分野】
【０００１】
本開示は、セルラー通信ネットワークにおけるアップリンク制御チャネルに関する。
【背景技術】
【０００２】
＜キャリアアグリゲーション（ＣＡ）＞
リリース１０（Ｒｅｌ−１０）において導入され及びリリース１１（Ｒｅｌ−１１）において拡張された３ＧＰＰ（Third  Generation  Partnership  Project）ＬＴＥ（Long  Term  Evolution）のＣＡの使用は、同一の帯域内に又は異なる帯域内に所在し得る複数のキャリアからの無線リソースを統合することにより、ピークデータレートを増加させ、システムキャパシティを増加させ及びユーザ体験を改善する手段を提供し、帯域間ＴＤＤ（Time  Division  Duplexing）ＣＡのケースでは、様々なＵＬ（Uplink）／ＤＬ（Downlink）構成と共に構成され得る。リリース１２（Ｒｅｌ−１２）では、ＴＤＤサービングセルとＦＤＤ（Frequency  Division  Duplexing）サービングセルとの間のＣＡが、それらＴＤＤ及びＦＤＤサービングセルへ同時にユーザ機器デバイス（ＵＥ）が接続することをサポートするために導入される。
【０００３】
リリース１３（Ｒｅｌ−１３）では、５ギガヘルツ（ＧＨｚ）周波数帯域内の未ライセンススペクトルのスペクトル機会を捕捉することに向けて、ライセンス支援型アクセス（ＬＡＡ）がＬＴＥのＣＡの特徴を拡張する点において大きな関心を集めている。５ＧＨｚ帯域内で動作するＷＬＡＮ（Wireless  Local  Area  Networks）は、当分野で８０メガヘルツ（ＭＨｚ）を既にサポートしている。さらに、ＩＥＥＥ８０２．１１ａｃのＷａｖｅ２配備では１６０ＭＨｚの帯域幅についてのサポートに至る予定である。３．５ＧＨｚ周波数帯域など他の周波数帯域も存在し、既にＬＴＥのために広く使用中の帯域に加えて、同じ帯域上での１つよりも多くのキャリアの統合が可能である。ＬＴＥについて、ＬＡＡとの組み合わせで、少なくともＩＥＥＥ８０２．１１ａｃのＷａｖｅ２と同様の帯域幅の利用を可能にすれば、５つよりも多くのキャリアをサポートするようにＬＴＥ  ＣＡのフレームワークを拡張することを求める機運がサポートされるであろう。５キャリアを超えるＬＴＥ  ＣＡフレームワークの拡張は、ＬＴＥ  Ｒｅｌ−１３に向けた１つの作業項目として承認されている。その目的は、ＵＬ及びＤＬの双方において、３２個までのキャリアをサポートすることである。
【０００４】
図１にＣＡの１つの例が示されている。図示したように、複数のキャリア（コンポーネントキャリア（ＣＣ）という）が統合される。この例において、あるＵＥについてプライマリセル（ＰＣｅｌｌ）及びセカンダリセル（ＳＣｅｌｌ）が構成される。ＰＣｅｌｌは、この例ではＵＬ  ＣＣ及びＤＬ  ＣＣ（即ち、この例でのＰＣｅｌｌはＦＤＤ  ＰＣｅｌｌである）を含み、ＵＬ  ＣＣ及びＤＬ  ＣＣは、例えばライセンス済み周波数スペクトル／帯域内にある。ＳＣｅｌｌは、この例では対応するＣＣを含み、ＤＬ  ＣＣとしてこの例において示されており、ＳＣｅｌｌの当該ＣＣは、例えば未ライセンス周波数スペクトル／帯域内にある。こうした構成は、例えばＬＡＡを用いる際に存在し得る。なお、図１の例は単なる一例に過ぎない。例えば、この例ではＵＥについて構成される３つのＣＣが存在する一方、上で議論したように、３２個までのＣＣをサポートする要望がある。
【０００５】
シングルキャリア動作と比較すると、ＣＡで動作するＵＥは、１つよりも多くのＤＬ  ＣＣについてフィードバックをレポートしなければならない。一方、ＵＥは、ＤＬ及びＵＬのＣＡを同時にサポートしなくてもよい。例えば、市場でのＣＡ対応型ＵＥの最初のリリースは、ＵＬ  ＣＡをサポートせず、ＤＬ  ＣＡをサポートするのみである。これは、３ＧＰＰ  ＲＡＮ４（Radio  Access  Network  4）の標準化における基本的な前提でもある。従って、拡張ＵＬ制御チャネル、即ちＰＵＣＣＨ（Physical  UL  Control  Channel）フォーマット３が、Ｒｅｌ−１０のタイムフレームの期間中のＣＡのために導入された。しかしながら、より多くのＣＣをＲｅｌ−１３でサポートするためには、そのＵＬ制御チャネルのキャパシティが限界になる。
【０００６】
＜ＰＵＣＣＨフォーマット３＞
ＬＴＥ  リリース８（Ｒｅｌ−８）では、スケジューリングリクエスト（ＳＲ）、ハイブリッド自動再送要求（ＨＡＲＱ）確認応答（ＡＣＫ）（ＨＡＲＱ−ＡＣＫ）及び周期的なチャネル状態情報（ＣＳＩ）レポーティングのために、ＰＵＣＣＨフォーマット１／１ａ／１ｂ及びＰＵＣＣＨフォーマット２／２ａ／２ｂがサポートされている。ＰＵＣＣＨリソース（即ち、ＵＥによりＰＵＣＣＨが送信されるリソース）は、単一のスカラーのインデックスにより表現され、そこから（ＰＵＣＣＨフォーマット１／１ａ／１ｂについてのみ）位相回転及び直交カバーシーケンスが導出される。セル固有のシーケンスの位相回転を直交シーケンスと併せて使用することで、同じセルにおいてリソースブロックの同じセット上でＰＵＣＣＨを送信する異なる端末間の直交性が提供される。ＬＴＥ  Ｒｅｌ−１０では、キャリアアグリゲーションについて、複数のダウンリンク送信（複数キャリア上であるか又はＴＤＤにおける複数のダウンリンクサブフレーム上であるかのいずれか）が存在し但しＨＡＲＱ−ＡＣＫ、ＳＲ及びＣＳＩフィードバックのためのアップリンクが単一である（単一のキャリアであるか又は単一のアップリンクサブフレームであるかのいずれか）場合の、ＰＵＣＣＨフォーマット３が導入された。
【０００７】
同様に、ＰＵＣＣＨフォーマット３リソースもまた、単一のスカラーのインデックスｎPUCCH(3)により表現され、そこから直交シーケンス（スロット０向けに予め定義される基底シーケンスについてサイクリックシフトｎoc,0、かつスロット１向けに予め定義される基底シーケンスについてｎoc,0というサイクリックシフト）及びリソースブロック番号ｍを導出することができる。ＰＵＣＣＨフォーマット３について、１つのリソースブロックペアの範囲内で符号多重化をサポートするために、長さ５の直交シーケンスが適用され（３ＧＰＰ  ＴＳ３６．２１１  Ｖ１３．０．０参照）、短縮ＰＵＣＣＨのために長さ４の直交シーケンスが適用される。ＰＵＣＣＨフォーマット３リソースについて、スカラーインデックスｎPUCCH(3)に基づき、ＰＵＣＣＨフォーマット３リソースのリソースブロックｍは、次式により決定される
【０００８】
【数１】
0006542910.tif 000002
【０００９】
ここで、ＮSF,0PUCCHは、スロット０についての直交シーケンスの長さである。
【００１０】
２つのスロットについて適用される直交シーケンスは、次のように導出される：
【００１１】
【数２】
0006542910.tif 000003
【００１２】
ここで、ＮSF,1PUCCHは、スロット１についての直交シーケンスの長さであり、名目上ＰＵＣＣＨフォーマット３を使用するサブフレーム内の双方のスロットについてＮSF,0PUCCH＝ＮSF,1PUCCH＝５が維持され、一方で短縮ＰＵＣＣＨフォーマット３を使用するサブフレーム内の１番目のスロット及び２番目のスロットについてＮSF,0PUCCH＝ＮSF,1PUCCH＝４が維持される。
【００１３】
ＰＵＣＣＨフォーマット３リソースは、上位レイヤ構成及びＤＬ割り当てからの動的な標識に従って決定される。詳細には、対応するＰＤＣＣＨ（Physical  DL  Control  Channel）／ＥＰＤＣＣＨ（Enhanced  PDCCH）のＤＬ制御情報（ＤＣＩ）フォーマット内のＴＰＣ（Transmit  Power  Control）フィールドが、上位レイヤにより構成される４つのリソース値のうちの１つからＰＵＣＣＨリソースの値を決定するために、以下のテーブル１において定義されているマッピング（３ＧＰＰ  ＴＳ３６．２１１  Ｖ１３．０．０参照）と共に使用される。ＦＤＤについては、ＴＰＣフィールドは、スケジューリングされるセカンダリサービングセルについてのＰＤＣＣＨ／ＥＰＤＣＣＨに対応する。ＴＤＤについては、ＴＰＣフィールドは、ＰＤＣＣＨ／ＥＰＤＣＣＨ内の“１”よりも大きいＤＬ割り当てインジケータ（ＤＡＩ）値を伴うＰＣｅｌｌについてのＰＤＣＣＨ／ＥＰＤＣＣＨに対応する。ＵＥは、対応するＰＤＣＣＨ／ＥＰＤＣＣＨ割り当ての各ＤＣＩフォーマット内で同じＰＵＣＣＨリソース値が送信されることを前提とする。
【００１４】
【表１】
0006542910.tif 000004
【００１５】
＜３２個までのＤＬ  ＣＣをサポートするための新たなＰＵＣＣＨフォーマット＞
３ＧＰＰにおいて、Ｒｅｌ−１２までは、ＤＬ  ＣＣの最大数は５つである。ＨＡＲＱフィードバックのために、チャネル選択を伴うＰＵＣＣＨフォーマット１ｂ、及びＰＵＣＣＨフォーマット３が導入され、対応するフォールバック動作が定義されている。ここで使用されるところによれば、フォールバック動作は、１つのＰＵＣＣＨフォーマットから他のＰＵＣＣＨフォーマットへ退行する動作である（例えば、フィードバックビットを２つのみ要する場合に、ＰＵＣＣＨフォーマット３からＰＵＣＣＨフォーマット１ａ／１ｂへ退行する）。フォールバック動作は、ＨＡＲＱ−ＡＣＫ性能の観点から恩恵があるだけではなく、ｅＮＢとＵＥとの間の曖昧性を回避するためのＲＲＣ（再）構成ピリオドの期間中のＵＥにとっても有益である。しかしながら、Ｒｅｌ−１３では、１ＵＥについて最大で３２個のＤＬ  ＣＣを構成することができ、従って、３２個までのＤＬ  ＣＣの統合に起因するより多くのＨＡＲＱ−ＡＣＫビットを搬送するために、新たなＰＵＣＣＨフォーマットが導入されるであろう。
【００１６】
ＰＵＣＣＨ上のより大きいペイロードサイズをサポートするために、４つのデザインオプションが存在する。
・オプション１：複数の物理リソースブロック（ＰＢＲ）を伴うＰＵＣＣＨフォーマット３
・オプション２：複数の直交カバーコード（ＯＣＣ）を伴うＰＵＣＣＨフォーマット３
・オプション３：複数のＰＲＢ及びＯＣＣの双方を伴うＰＵＣＣＨフォーマット３
・オプション４：ＰＵＳＣＨに類似する構造
【００１７】
＜ＰＵＣＣＨフォーマットのフォールバック＞
チャネル選択を伴うＰＵＣＣＨフォーマット１ｂ、及びＰＵＣＣＨフォーマット３が、ＣＡでのＨＡＲＱ−ＡＣＫフィードバックをサポートするために、３ＧＰＰ  Ｒｅｌ−１０において導入されている。ＰＵＣＣＨのフォールバック動作もまた、特定の条件でのチャネル選択を伴うＰＵＣＣＨフォーマット１ｂ及びＰＵＣＣＨフォーマット３の双方のために導入されている。
【００１８】
チャネル選択を伴うＰＵＣＣＨフォーマット１ｂは、４つまでのＰＵＣＣＨフォーマット１ｂリソース（“チャネル”ともいう）を構成することを包含する。それらリソースのうちの１つの選択は、伝達すべきＡＣＫ／否定的ＡＣＫ（ＮＡＣＫ）情報のいくつかを指し示す。ＡＣＫ／ＮＡＣＫビットが２つ、３つ又は４つのケースについて、ＡＣＫ／ＮＡＣＫの組み合わせの構成されるＰＵＣＣＨリソースへのマッピングを定義するためのマッピングテーブルが仕様化されている。それらテーブルは、Ｒｅｌ−８動作への退行をサポートするように設計されている。より具体的には、単一のキャリア、即ちＰＣｅｌｌがスケジューリングされるケースでは、１つ又は２つのＡＣＫ／ＮＡＣＫビットが、Ｒｅｌ−８のようにＰＵＣＣＨフォーマット１ａ／１ｂにより送信されることになる。
【００１９】
ＰＵＣＣＨフォーマット３について同様に、ＳＣｅｌｌ上でＰＤＳＣＨ（Physical  Downlink  Shared  Channel）に対応する（Ｅ）ＰＤＣＣＨが受信されずＰＣｅｌｌ上でＰＤＳＣＨが受信される場合、１つ又は２つのＡＣＫ／ＮＡＣＫビットが、Ｒｅｌ−８のようにＰＵＣＣＨフォーマット１ａ／１ｂにより送信されることになる。ＴＤＤについては、ＰＣｅｌｌからＤＡＩ値が“１”に設定されている１つのＤＬサブフレームにおいてＰＤＳＣＨが受信されるのみである場合に、ＨＡＲＱ−ＡＣＫ送信のためにＰＵＣＣＨフォーマット１ａ／１ｂが使用される。
【発明の概要】
【発明が解決しようとする課題】
【００２０】
上で議論したように、３ＧＰＰ  Ｒｅｌ−１３では、１ＵＥについて最大で３２個のＤＬ  ＣＣを構成することができ、従って、新たなＰＵＣＣＨフォーマットが導入されるであろう。上述したように、複数のデザインオプションが大きな関心を得ている。しかしながら、上で言及したそれらオプションが採用される場合に、新たなＰＵＣＣＨフォーマットについてどのようにＰＵＣＣＨリソース割り当て及びフォールバック動作を行うべきかは明らかでない。このように、新たなＰＵＣＣＨフォーマットについてのＰＵＣＣＨリソース割り当て及びフォールバック動作のためのシステム及び方法についてのニーズが存在する。
【課題を解決するための手段】
【００２１】
ここでは、例えば多数個（例えば、３２個）までのキャリア向けのフィードバック（例えば、ハイブリッド自動再送要求（ＨＡＲＱ）確認応答（ＡＣＫ）（ＨＡＲＱ−ＡＣＫ）フィードバック）をサポートする、アップリンク（ＵＬ）制御チャネルフォーマットのためのリソース割り当て及び／又はフォールバック動作に関するシステム及び方法が開示される。いくつかの実施形態において、セルラー通信ネットワークにおけるワイヤレスデバイスの、ＵＬ制御チャネル上で１つ以上のキャリアについてＵＬ制御情報を送信するための動作の方法は、第１のＵＬ制御チャネルフォーマットについての１つ以上の条件の第１のセットが充足される場合に、上記第１のＵＬ制御チャネルフォーマットを用いて、ＵＬ制御チャネル送信信号を送信すること、を含む。上記方法は、さらに、上記第１のＵＬ制御チャネルフォーマットについての１つ以上の条件の上記第１のセットが充足されない場合において、但し第２のＵＬ制御チャネルフォーマットについての１つ以上の条件の第２のセットが充足されるときに、上記第２のＵＬ制御チャネルフォーマットを用いて、上記ＵＬ制御チャネル送信信号を送信すること、を含む。上記方法は、さらに、上記第１のＵＬ制御チャネルフォーマットについての１つ以上の条件の上記第１のセット及び上記第２のＵＬ制御チャネルフォーマットについての１つ以上の条件の上記第２のセットの双方が充足されない場合に、第３のＵＬ制御チャネルフォーマットを用いて、上記ＵＬ制御チャネル送信信号を送信すること、を含む。このやり方で、多数個（例えば、３２個）までのキャリア向けのフィードバックをサポートする新たな又は拡張された制御チャネルフォーマットであり得る第３のＵＬ制御チャネルフォーマット向けのフォールバック動作が提供される。
【００２２】
いくつかの実施形態において、上記セルラー通信ネットワークは、３ＧＰＰ（Third  Generation  Partnership  Project）ネットワークであり、上記第１のＵＬ制御チャネルフォーマットは、フォーマット１ａ／１ｂであり、上記第２のＵＬ制御チャネルフォーマットは、フォーマット３である。
【００２３】
いくつかの実施形態において、上記第３のＵＬ制御チャネルフォーマットは、ＰＵＳＣＨ（Physical  UL  Shared  Channel）構造を用いるＵＬ制御チャネルフォーマットである。他の実施形態において、上記第３のＵＬ制御チャネルフォーマットは、複数の物理リソースブロック（ＰＲＢ）上のレガシーフォーマット３、複数の直交カバーコード（ＯＣＣ）を伴う単一のＰＲＢ上のレガシーフォーマット３、複数のＯＣＣを伴う複数のＰＲＢ上のレガシーフォーマット３、複数のＰＲＢ上のＴＢＣＣ（Tail-Biting  Convolutional  Code）を伴う修正されたフォーマット３、複数のＯＣＣを伴う単一のＰＲＢ上のＴＢＣＣを伴う修正されたフォーマット３、又は複数のＯＣＣを伴う複数のＰＲＢ上のＴＢＣＣを伴う修正されたレガシーフォーマット３、を用いるＵＬ制御チャネルフォーマットである。
【００２４】
いくつかの実施形態において、上記第２のＵＬ制御チャネルフォーマットについての１つ以上の条件の上記第２のセットは、上記ＵＬ制御チャネル送信信号についてのフィードバックビットの所要数が閾値Ｍ２以下であるという条件を含む。
【００２５】
いくつかの実施形態において、上記閾値Ｍ２は、２２に等しい。
【００２６】
いくつかの実施形態において、上記第１のＵＬ制御チャネルフォーマットについての１つ以上の条件の上記第１のセットは、上記ＵＬ制御チャネル送信信号についてのフィードバックビットの所要数が閾値Ｍ１以下であるという条件を含む。さらに、いくつかの実施形態において、上記閾値Ｍ１は、２に等しく、上記閾値Ｍ２は、２２に等しい。
【００２７】
いくつかの実施形態において、上記第１のＵＬ制御チャネルフォーマットについての１つ以上の条件の上記第１のセットは、上記ワイヤレスデバイスのプライマリセル（ＰＣｅｌｌ）についてのみフィードバックビットを要するという条件をさらに含む。さらに、いくつかの実施形態において、上記閾値Ｍ１は、２に等しい。いくつかの実施形態において、上記閾値Ｍ２は、２２に等しい。
【００２８】
いくつかの実施形態において、上記第１のＵＬ制御チャネルフォーマットについての１つ以上の条件の上記第１のセットは、（ａ）上記ワイヤレスデバイスのＰＣｅｌｌについてのみフィードバックビットを要するという条件、及び、（ｂ）上記ＵＬ制御チャネルフォーマットについてのフィードバックビットの所要数が閾値Ｍ１以下であること、を含む。さらに、いくつかの実施形態において、上記閾値Ｍ１は、２に等しい。
【００２９】
いくつかの実施形態において、上記ワイヤレスデバイスは、キャリアアグリゲーション（ＣＡ）方式に従って周波数分割複信（ＦＤＤ）ＰＣｅｌｌと共に構成され、その中で、上記ＵＬ制御チャネルは、上記ワイヤレスデバイスの上記ＦＤＤ  ＰＣｅｌｌ上で送信され、１つ以上の条件の上記第１のセットは、フォーマット１ａ／１ｂへのフォールバックのためのものであって、（ａ）上記ワイヤレスデバイスのいかなるセカンダリセル（ＳＣｅｌｌ）上のダウンリンク（ＤＬ）共有チャネルに対応するＤＬ制御チャネルも受信されないという条件、及び（ｂ）ＤＬ共有チャネルが上記ワイヤレスデバイスのＦＤＤ  ＰＣｅｌｌ上で受信されるという条件、を含む。
【００３０】
いくつかの実施形態において、上記ワイヤレスデバイスは、ＣＡ方式に従って時間分割複信（ＴＤＤ）ＰＣｅｌｌと共に構成され、その中で、上記ＵＬ制御チャネルは、上記ワイヤレスデバイスの上記ＴＤＤ  ＰＣｅｌｌ上で送信され、１つ以上の条件の上記第１のセットは、フォーマット１ａ／１ｂへのフォールバックのためのものであって、（ａ）上記ワイヤレスデバイスのいかなるＳＣｅｌｌ上のＤＬ共有チャネルに対応するＤＬ制御チャネルも受信されないという条件、及び（ｂ）ＤＬ共有チャネルが上記ＴＤＤ  ＰＣｅｌｌ上でダウンリンク割り当てインジケータ（ＤＡＩ）値が“１”に設定されたただ１つのＤＬサブフレームにおいて受信されるという条件、を含む。
【００３１】
いくつかの実施形態において、上記ワイヤレスデバイスは、ＣＡ方式に従ってＦＤＤ又はＴＤＤ  ＰＣｅｌｌと共に構成され、その中で、上記ＵＬ制御チャネルは、上記ワイヤレスデバイスの上記ＰＣｅｌｌ上で送信され、１つ以上の条件の上記第２のセットは、フォーマット３へのフォールバックのためのものであって、（ａ）上記ワイヤレスデバイスがＰＤＳＣＨ（Physical  Downlink  Shared  Channel）をセル上でＮ個のあり得るフィードバックビットのシーケンスにおいてＭ２個以下のフィードバックビット（Ｎ＞Ｍ２）のセグメントの範囲内でのみ受信するという条件、及び（ｂ）他のいかなるセル上でも上記ワイヤレスデバイスによりＤＬ制御チャネルが受信されないという条件、を含む。
【００３２】
いくつかの実施形態において、上記ワイヤレスデバイスは、ＣＡ方式に従ってセルグループ内のＦＤＤプライマリセカンダリセル（ｐＳＣｅｌｌ）と共に構成され、その中で、上記ＵＬ制御チャネルは、上記ワイヤレスデバイスのＰＣｅｌｌであるか又は上記ワイヤレスデバイスの１つ以上のＳＣｅｌｌのうちの１つであるかのいずれかであり得る上記ＦＤＤ  ｐＳＣｅｌｌ上で送信され、１つ以上の条件の上記第１のセットは、フォーマット１ａ／１ｂへのフォールバックのためのものであって、（ａ）セルグループ内のいかなるＳＣｅｌｌ上のＤＬ共有チャネルに対応するＤＬ制御チャネルも受信されないという条件、及び（ｂ）ＤＬ共有チャネルが上記ＦＤＤ  ｐＳＣｅｌｌ上で受信されるという条件、を含む。
【００３３】
いくつかの実施形態において、上記ワイヤレスデバイスは、ＣＡ方式に従ってセルグループ内のＴＤＤ  ｐＳＣｅｌｌと共に構成され、その中で、上記ＵＬ制御チャネルは、上記ワイヤレスデバイスのＰＣｅｌｌであるか又は上記ワイヤレスデバイスの１つ以上のＳＣｅｌｌのうちの１つであるかのいずれかであり得る上記ＴＤＤ  ｐＳＣｅｌｌ上で送信され、１つ以上の条件の上記第１のセットは、フォーマット１ａ／１ｂへのフォールバックのためのものであって、（ａ）セルグループ内のいかなるＳＣｅｌｌ上のＤＬ共有チャネルに対応するＤＬ制御チャネルも受信されないという条件、及び（ｂ）ＤＬ共有チャネルが上記ＴＤＤ  ｐＳＣｅｌｌ上でＤＡＩ値が“１”に設定されたただ１つのＤＬサブフレームにおいて受信されるという条件、を含む。
【００３４】
いくつかの実施形態において、上記ワイヤレスデバイスは、ＣＡ方式に従ってセルグループ内のＦＤＤ又はＴＤＤ  ｐＳＣｅｌｌと共に構成され、その中で、上記ＵＬ制御チャネルは、上記ワイヤレスデバイスのＰＣｅｌｌであるか又は上記ワイヤレスデバイスの１つ以上のＳＣｅｌｌのうちの１つであるかのいずれかであり得る上記ｐＳＣｅｌｌ上で送信され、１つ以上の条件の上記第２のセットは、フォーマット３へのフォールバックのためのものであって、（ａ）上記ワイヤレスデバイスにより、ＤＬ共有チャネルがセルグループ内の１つ以上のＳＣｅｌｌ上で受信され、それらがＮ個のあり得るフィードバックビットのシーケンスにおいてＭ２個以下のフィードバックビット（Ｎ＞Ｍ２）のセグメントに対応するという条件、及び（ｂ）上記セルグループ内の他のいかなるＳＣｅｌｌ上でも上記ワイヤレスデバイスによりＤＬ制御チャネルが受信されないという条件、を含む。
【００３５】
いくつかの実施形態において、上記ワイヤレスデバイスは、ＣＡ方式に従ってＦＤＤ  ｐＳＣｅｌｌと共に構成され、その中で、上記ＵＬ制御チャネルは、上記ワイヤレスデバイスのＰＣｅｌｌである上記ＦＤＤ  ｐＳＣｅｌｌ上で送信され、１つ以上の条件の上記第１のセットは、フォーマット１ａ／１ｂへのフォールバックのためのものであって、（ａ）セルグループ内のいかなるＳＣｅｌｌ上のＤＬ共有チャネルに対応するＤＬ制御チャネルも受信されないという条件、及び（ｂ）ＤＬ共有チャネルが上記ＦＤＤ  ｐＳＣｅｌｌ上で受信されるという条件、を含む。
【００３６】
いくつかの実施形態において、上記ワイヤレスデバイスは、ＣＡ方式に従ってＴＤＤ  ｐＳＣｅｌｌと共に構成され、その中で、上記ＵＬ制御チャネルは、上記ワイヤレスデバイスのＰＣｅｌｌである上記ＴＤＤ  ｐＳＣｅｌｌ上で送信され、１つ以上の条件の上記第１のセットは、フォーマット１ａ／１ｂへのフォールバックのためのものであって、（ａ）セルグループ内のいかなるＳＣｅｌｌ上のＤＬ共有チャネルに対応するＤＬ制御チャネルも受信されないという条件、及び（ｂ）ＤＬ共有チャネルが上記ＴＤＤ  ｐＳＣｅｌｌ上でＤＡＩ値が“１”に設定されたただ１つのＤＬサブフレームにおいて受信されるという条件、を含む。
【００３７】
セルラー通信ネットワークにおいて、ＵＬ制御チャネル上で１つ以上のキャリアについてＵＬ制御情報を送信するように動作することを可能とされるワイヤレスデバイスの実施形態もまた開示される。いくつかの実施形態において、上記ワイヤレスデバイスは、１つ以上の送信機と、１つ以上のプロセッサと、上記１つ以上のプロセッサにより実行可能な命令を含むメモリと、を備え、それにより上記ワイヤレスデバイスは、次の通り動作可能である：第１のＵＬ制御チャネルフォーマットについての１つ又は複数の条件の第１のセットが充足される場合に、上記第１のＵＬ制御チャネルフォーマットを用いて、ＵＬ制御チャネル送信信号を上記１つ以上の送信機を介して送信し；上記第１のＵＬ制御チャネルフォーマットについての１つ以上の条件の上記第１のセットが充足されない場合において、但し第２のＵＬ制御チャネルフォーマットについての１つ以上の条件の第２のセットが充足されるときに、上記第２のＵＬ制御チャネルフォーマットを用いて、上記ＵＬ制御チャネル送信信号を上記１つ以上の送信機を介して送信し；上記第１のＵＬ制御チャネルフォーマットについての１つ以上の条件の上記第１のセット及び上記第２のＵＬ制御チャネルフォーマットについての１つ以上の条件の上記第２のセットの双方が充足されない場合に、第３のＵＬ制御チャネルフォーマットを用いて、上記ＵＬ制御チャネル送信信号を上記１つ以上の送信機を介して送信する。
【００３８】
他の実施形態において、ワイヤレスデバイスは、ここで説明されるワイヤレスデバイスの動作の方法の実施形態のいずれかを実行するように適合される。
【００３９】
他の実施形態において、セルラー通信ネットワークにおいて、ＵＬ制御チャネル上で１つ以上のキャリアについてＵＬ制御情報を送信するように動作することを可能とされるワイヤレスデバイスは、次の通り動作可能なＵＬ制御チャネル送信モジュール、を備える：第１のＵＬ制御チャネルフォーマットについての１つ又は複数の条件の第１のセットが充足される場合に、上記第１のＵＬ制御チャネルフォーマットを用いて、ＵＬ制御チャネル送信信号を送信し、上記第１のＵＬ制御チャネルフォーマットについての１つ以上の条件の上記第１のセットが充足されない場合において、但し第２のＵＬ制御チャネルフォーマットについての１つ以上の条件の第２のセットが充足されるときに、上記第２のＵＬ制御チャネルフォーマットを用いて、上記ＵＬ制御チャネル送信信号を送信し、上記第１のＵＬ制御チャネルフォーマットについての１つ以上の条件の上記第１のセット及び上記第２のＵＬ制御チャネルフォーマットについての１つ以上の条件の上記第２のセットの双方が充足されない場合に、第３のＵＬ制御チャネルフォーマットを用いて、上記ＵＬ制御チャネル送信信号を送信する。
【００４０】
他の実施形態において、セルラー通信ネットワークにおいて、ＵＬ制御チャネル上で１つ以上のキャリアについてＵＬ制御情報を送信するように動作することを可能とされるワイヤレスデバイスは：第１のＵＬ制御チャネルフォーマットについての１つ又は複数の条件の第１のセットが充足される場合に、上記第１のＵＬ制御チャネルフォーマットを用いて、ＵＬ制御チャネル送信信号を送信するための手段と；上記第１のＵＬ制御チャネルフォーマットについての１つ以上の条件の上記第１のセットが充足されない場合において、但し第２のＵＬ制御チャネルフォーマットについての１つ以上の条件の第２のセットが充足されるときに、上記第２のＵＬ制御チャネルフォーマットを用いて、上記ＵＬ制御チャネル送信信号を送信するための手段と；上記第１のＵＬ制御チャネルフォーマットについての１つ以上の条件の上記第１のセット及び上記第２のＵＬ制御チャネルフォーマットについての１つ以上の条件の上記第２のセットの双方が充足されない場合に、第３のＵＬ制御チャネルフォーマットを用いて、上記ＵＬ制御チャネル送信信号を送信するための手段と；を備える
【００４１】
いくつかの実施形態において、非一時的なコンピュータ読取可能な媒体は、ワイヤレスデバイスの１つ以上のプロセッサにより実行された場合に上記ワイヤレスデバイスに以下のことを行わせるソフトウェア命令、を記憶している：第１のＵＬ制御チャネルフォーマットについての１つ又は複数の条件の第１のセットが充足される場合に、上記第１のＵＬ制御チャネルフォーマットを用いて、ＵＬ制御チャネル送信信号を送信すること；上記第１のＵＬ制御チャネルフォーマットについての１つ以上の条件の上記第１のセットが充足されない場合において、但し第２のＵＬ制御チャネルフォーマットについての１つ以上の条件の第２のセットが充足されるときに、上記第２のＵＬ制御チャネルフォーマットを用いて、上記ＵＬ制御チャネル送信信号を送信すること；及び、上記第１のＵＬ制御チャネルフォーマットについての１つ以上の条件の上記第１のセット及び上記第２のＵＬ制御チャネルフォーマットについての１つ以上の条件の上記第２のセットの双方が充足されない場合に、第３のＵＬ制御チャネルフォーマットを用いて、上記ＵＬ制御チャネル送信信号を送信すること。
【００４２】
いくつかの実施形態において、コンピュータプログラムは、少なくとも１つのプロセッサ上で実行された場合に、上記少なくとも１つのプロセッサに、ここで説明される実施形態のいずれかに係るワイヤレスデバイスの動作の方法を遂行させる命令、を含む。いくつかの実施形態において、電子信号、光信号、無線信号又はコンピュータ読取可能な記憶媒体のうちの１つである、上述したコンピュータプログラムを含む担体が提供される。
【００４３】
本開示の１つの側面によれば、３ＧＰＰリリース１３（Ｒｅｌ−１３）における新たなＰＵＣＣＨ（Physical  UL  Control  Channel）フォーマットのためのリソース割り当て及びフォールバック動作の方法が提案される。
【発明の効果】
【００４４】
本開示におけるリソース割り当て及びフォールバックの解決策は、既存のＰＵＣＣＨフォーマットとの互換性を可能にする。それは、ＨＡＲＱ−ＡＣＫ性能の観点から恩恵があるだけではなく、ｅＮＢとＵＥとの間の曖昧性を回避するためのＲＲＣ（再）構成ピリオドの期間中のワイヤレスデバイス（例えば、ユーザ機器デバイス（ＵＥ））にとっても有益である。
【００４５】
当業者は、以下の実施形態の詳細な説明を添付図面の図との関連において読んだ後に、本開示のスコープを認識し、それらの追加的な側面を理解するであろう。
【図面の簡単な説明】
【００４６】
この明細書に取り入れられその一部を成す添付図面の図は、本開示のいくつもの側面を示しており、本説明と共に本開示の原理の説明に供される。
【００４７】
【図１】キャリアアグリゲーション（ＣＡ）の１つの例を示している。
【図２】セルラー通信ネットワークの１つの例を示しており、その例において、本開示のいくつかの実施形態に従って、新たなＰＵＣＣＨ（Physical  Uplink  Control  Channel）フォーマットについてのリソース割り当て及びフォールバック動作が実装される。
【図３】本開示のいくつかの実施形態に係る新たなＰＵＣＣＨフォーマットを用いてＰＵＣＣＨを送信するための、ワイヤレスデバイスの動作を示すフローチャートである。
【図４】本開示のいくつかの実施形態に係る新たなＰＵＣＣＨフォーマットについてのフォールバック手続を示すフローチャートである。
【図５】本開示のいくつかの実施形態に係る新たなＰＵＣＣＨフォーマットについてのフォールバック手続を示すフローチャートである。
【図６】新たなＰＵＣＣＨフォーマットについてのフィードバックビットの１つの例示的なセグメンテーションを示している。
【図７Ａ】本開示のいくつかの実施形態に係る新たなＰＵＣＣＨフォーマットについての、ワイヤレスデバイスにより実行されるフォールバック手続を示している。
【図７Ｂ】本開示のいくつかの実施形態に係る新たなＰＵＣＣＨフォーマットについての、ワイヤレスデバイスにより実行されるフォールバック手続を示している。
【図８】本開示のいくつかの実施形態に従って新たなＰＵＣＣＨフォーマットからＰＵＣＣＨフォーマット３へフォールバックすべきかを判定するための判定処理を示すフローチャートである。
【図９】本開示のいくつかの実施形態に従って新たなＰＵＣＣＨフォーマットからＰＵＣＣＨフォーマット３へフォールバックすべきかを判定するための処理を示すフローチャートである。
【図１０】新たなＰＵＣＣＨフォーマットについてのフィードバックビットの他の例示的なセグメンテーションを示している。
【図１１】新たなＰＵＣＣＨフォーマットについてのフィードバックビットの他の例示的なセグメンテーションを示している。
【図１２Ａ】本開示のいくつかの実施形態に係る新たなＰＵＣＣＨフォーマットについての、ワイヤレスデバイスにより実行されるフォールバック手続を示している。
【図１２Ｂ】本開示のいくつかの実施形態に係る新たなＰＵＣＣＨフォーマットについての、ワイヤレスデバイスにより実行されるフォールバック手続を示している。
【図１３】本開示のいくつかの実施形態に従って新たなＰＵＣＣＨフォーマットからＰＵＣＣＨフォーマット３へフォールバックすべきかを判定するための判定処理を示すフローチャートである。
【図１４】本開示の他のいくつかの実施形態に従って新たなＰＵＣＣＨフォーマットからＰＵＣＣＨフォーマット３へフォールバックすべきかを判定するための判定処理を示すフローチャートである。
【図１５Ａ】本開示の他のいくつかの実施形態に係る新たなＰＵＣＣＨフォーマットについての、ワイヤレスデバイスにより実行されるフォールバック手続を示している。
【図１５Ｂ】本開示の他のいくつかの実施形態に係る新たなＰＵＣＣＨフォーマットについての、ワイヤレスデバイスにより実行されるフォールバック手続を示している。
【図１６】本開示の他のいくつかの実施形態に係る図２の基地局及びワイヤレスデバイスの動作を示している。
【図１７】本開示のいくつかの実施形態に係る基地局の概略ブロック図である。
【図１８】本開示のいくつかの実施形態に係る基地局の概略ブロック図である。
【図１９】本開示のいくつかの実施形態に係るワイヤレスデバイスの概略ブロック図である。
【図２０】本開示のいくつかの実施形態に係るワイヤレスデバイスの概略ブロック図である。
【発明を実施するための形態】
【００４８】
以下に呈示される実施形態は、当業者がそれら実施形態を実践することを可能にするための情報を表現し、及びそれら実施形態の実践の最良の形態を例示している。添付図面の図を踏まえて以下の説明を読めば、当業者は、本開示の概念を理解し、それら概念のここで具体的に扱われていない応用を認識するであろう。理解されるべきこととして、それら概念及び応用は、本開示及び添付の特許請求の範囲のスコープの範囲内に入る。
【００４９】
無線ノード：ここで使用されるところによれば、“無線ノード”は、無線アクセスノードであるか又はワイヤレスデバイスであるかのいずれかである。
【００５０】
無線アクセスノード：ここで使用されるところによれば、“無線アクセスノード”は、ワイヤレスに信号を送信し及び／又は受信するように動作する、セルラー通信ネットワークの無線アクセスネットワーク内の任意のノードである。無線アクセスノードのいくつかの例は、限定ではないものの、基地局（例えば、３ＧＰＰ（Third  Generation  Partnership  Project）ＬＴＥ（Long  Term  Evolution）ネットワーク内の拡張又は進化型ノードＢ（ｅＮＢ））、高電力又はマクロ基地局、低電力基地局（例えば、マイクロ基地局、ピコ基地局若しくはホームｅＮＢなど）、及び中継ノードを含む。
【００５１】
コアネットワークノード：ここで使用されるところによれば、“コアネットワークノード”は、コアネットワーク（ＣＮ）内の任意のタイプのノードである。コアネットワークノードのいくつかの例は、例えば、ＭＭＥ（Mobility  Management  Entity）、Ｐ−ＧＷ（Packet  Data  Network（PDN）  Gateway）又はＳＣＥＦ（Service  Capability  Exposure  Function）などを含む。
【００５２】
ワイヤレスデバイス：ここで使用されるところによれば、“ワイヤレスデバイス”は、無線アクセスノードへワイヤレスに信号を送信し及び／又は受信することによりセルラー通信ネットワークへのアクセスを有する（即ち、セルラー通信ネットワークによりサービスされる）任意のタイプのデバイスである。ワイヤレスデバイスのいくつかの例は、限定ではないものの、３ＧＰＰ  ＬＴＥネットワーク内のユーザ機器デバイス（ＵＥ）及びマシンタイプ通信（ＭＴＣ）デバイスを含む。
【００５３】
ネットワークノード：ここで使用されるところによれば、“ネットワークノード”は、セルラー通信ネットワーク／システムの無線アクセスネットワークの一部か又はＣＮの一部かのいずれかである任意のノードである。
【００５４】
ここで与えられる説明は、３ＧＰＰセルラー通信システムに焦点を当てており、そのために、３ＧＰＰ  ＬＴＥの専門用語又は３ＧＰＰ  ＬＴＥの専門用語に類似する専門用語が多くの場合に使用されることに留意されたい。但し、ここで開示される概念は、３ＧＰＰシステムには限定されない。
【００５５】
なお、ここでの説明において、“セル”との用語への言及がなされているかもしれないが、しかしながら、特に第５世代（５Ｇ）の概念に関して、セルの代わりにビームが使用されてもよい。そのため、ここで説明される概念はセル及びビームの双方に等しく適用可能であることに留意することが重要である。
【００５６】
上で議論したように、３ＧＰＰリリース１３（Ｒｅｌ−１３）において、キャリアアグリゲーション（ＣＡ）の特徴は、１ＵＥについて最大で３２個のダウンリンク（ＤＬ）コンポーネントキャリア（ＣＣ）を構成することができるように拡張される。従って、３２個までのＣＣについてのハイブリッド自動再送要求（ＨＡＲＱ）確認応答（ＡＣＫ）（ＨＡＲＱ−ＡＣＫ）フィードバックをサポートする新たなＰＵＣＣＨ（Physical  Uplink  Control  Channel）フォーマットが導入されることになる。背景欄において説明したように、複数のデザインオプションが大きな関心を集めている。その新たなＰＵＣＣＨフォーマットのためのＰＵＣＣＨリソース割り当て及びフォールバック動作のためのシステム及び方法がここに開示される。とりわけ、ここでは、その新たなＰＵＣＣＨフォーマットを、簡明さ及び議論の易しさのために、ＰＵＣＣＨフォーマット４という。但し、ＰＵＣＣＨフォーマット４は、新たなＰＵＣＣＨフォーマットについてここで使用される名称に過ぎない。３ＧＰＰ標準において、その新たなＰＵＣＣＨフォーマットに別の名称が与えられてもよい。
【００５７】
この点において、図２は、本開示のいくつかの実施形態に従ってＰＵＣＣＨフォーマット４のリソース割り当て及びフォールバック動作が実装される、セルラー通信ネットワーク１０の１つの例を示している。この例において、セルラー通信ネットワーク１０は、ＬＴＥではｅＮＢという、各々異なるキャリア上で動作する複数のセル１４へサービスする基地局１２、を含むＬＴＥネットワーク（例えば、ライセンス支援型アクセスＬＴＥ（ＬＡＡ−ＬＴＥ）ネットワーク、又は、未ライセンススペクトル内ＬＴＥ（ＬＴＥ−Ｕ）ネットワーク）である。この具体的な例において、基地局１２は、３２個までのセルへサービスし、それらは概して、キャリアＦ１〜Ｆ３２上でそれぞれ動作するセル１４−１〜１４−３２として言及される。いくつかの実施形態では、キャリアＦ１〜Ｆ３２は全てライセンス済み周波数スペクトル内にある。一方、他の実施形態では、キャリアＦ１〜Ｆ３２のうちのいくつかはライセンス済み周波数スペクトル内（即ち、１つ以上のライセンス済み周波数帯域内）にあって、一方でキャリアＦ１〜Ｆ３２のうちの他のキャリアは未ライセンス周波数スペクトル内（即ち、１つ以上の未ライセンス周波数帯域内）にあり、これはセルラー通信ネットワーク１０がＬＡＡ−ＬＴＥネットワークである場合に該当するはずである。他の実施形態では、キャリアＦ１〜Ｆ３２の全てが未ライセンス周波数スペクトル内（即ち、１つ以上の未ライセンス周波数帯域内）にある。なお、この例では３２個のセル１４が例示されているものの、基地局１２は、いかなる数のセル１４へサービスしてもよい（例えば、１から３２までの任意の数のセル、又は、例えば具体的な実装に依存して潜在的に３２個よりも多いセルであってさえよい）。この具体的な例において、ＬＴＥの専門用語ではＵＥというワイヤレスデバイス１６は、基地局１２によりサービスされる。この例ではセル１４は全て同じ基地局１２により提供されているものの、本開示はそれに限定されないことにも留意すべきである。セル１４は、１つ以上のいかなる数の無線アクセスノードにより提供されてもよい。
【００５８】
基地局１２あるいはｅＮＢ１２、及びワイヤレスデバイス１６あるいはＵＥ１６は、ＣＡ方式に従って動作し、その動作において、この例では、ワイヤレスデバイス１６について３２個までのキャリア（ＣＣという）を構成することができる。この例では、セル１４−１がワイヤレスデバイス１６のプライマリキャリア（ＰＣｅｌｌ）として構成され、そのため、キャリアＦ１をここではプライマリＣＣ（ＰＣＣ）という。他のセル１４−２〜１４−３２のうちの１つ以上はワイヤレスデバイス１６のセカンダリセル（ＳＣｅｌｌ）として構成され、そのため、それぞれのキャリアをここではセカンダリＣＣ（ＳＣＣ）という。
【００５９】
ワイヤレスデバイス１６は、ＰＵＣＣＨを用いて、スケジューリングリクエスト（ＳＲ）、周期的なチャネル状態情報（ＣＳＩ）及びＨＡＲＱ−ＡＣＫといったアップリンク制御情報（ＵＣＩ）を送信する。ＤＬ  ＣＡ方式に従って動作する際、ワイヤレスデバイス１６は、旧来のＰＵＣＣＨフォーマットを用いる場合には、８個までのセル１４についてのＨＡＲＱ−ＡＣＫを送信することができる。（ここではＰＵＣＣＨフォーマット４という）新たなＰＵＣＣＨフォーマットは、ＰＵＣＣＨキャパシティを、３２個までのセル１４についてのＨＡＲＱ−ＡＣＫをサポートするように拡張する。
【００６０】
＜Ｉ．ＰＵＣＣＨフォーマット４についてのデザインオプション＞
現在のところ、ＰＵＣＣＨフォーマット４について以下の４つのデザインオプションが存在する：
・オプション１：複数の物理リソースブロック（ＰＢＲ）を伴う（レガシーの又は修正された）ＰＵＣＣＨフォーマット３
・オプション２：複数の直交カバーコード（ＯＣＣ）を伴う（レガシーの又は修正された）ＰＵＣＣＨフォーマット３
・オプション３：複数のＰＲＢ及び複数のＯＣＣの双方を伴う（レガシーの又は修正された）ＰＵＣＣＨフォーマット３
・オプション４：ＰＵＳＣＨ（Physical  Uplink  Shared  Channel）に類似する構造を有するＰＵＣＣＨフォーマット
ＰＵＣＣＨフォーマット４のためのリソース割り当ての実施形態に伴うこれらオプションの各々について、以下に詳細に説明する。
【００６１】
＜ＩＩ．ＰＵＣＣＨフォーマット４についてのリソース割り当て＞
以下の議論は、ＰＵＣＣＨフォーマット４の様々な上記デザインオプションの各々についてのリソース割り当ての実施形態を提供する。
【００６２】
Ａ．ＰＵＣＣＨフォーマット４のデザインオプション１についてのリソース割り当て
ＰＵＣＣＨフォーマット４についてのデザインオプション１は、複数のＰＲＢ上でレガシーのＰＵＣＣＨフォーマット３又は修正されたＰＵＣＣＨフォーマット３（例えば、ＴＢＣＣ（Tail-Biting  Convolutional  Code）を伴うＰＵＣＣＨフォーマット３）を用いて、現行の又はレガシーのＰＵＣＣＨフォーマット３で可能なものよりも多くのＨＡＲＱ−ＡＣＫビットを搬送すること（即ち、レガシーＰＵＣＣＨフォーマット３のキャパシティを上回る数のＨＡＲＱ−ＡＣＫビットを搬送すること）である。
【００６３】
ｉ．手段１：レガシーＰＵＣＣＨフォーマット３の使用
いくつかの実施形態において、ＰＵＣＣＨフォーマット４は、複数のＰＲＢ上でレガシーのＰＵＣＣＨフォーマット３を使用する。ＰＵＣＣＨフォーマット４について必要とされるＰＲＢの数は、ＮPUCCH4として表され、次のように計算される
【００６４】
【数３】
0006542910.tif 000005
【００６５】
ここで、ＯACKは、合計のＨＡＲＱ−ＡＣＫビットの数であり、ｑはＰＵＣＣＨフォーマット３を用いて１ＰＲＢにより搬送可能なＨＡＲＱ−ＡＣＫビットの最大数であり、即ちｑは２２に等しい。ＯACKは、スケジューリングされたキャリアの数、アクティブ化されたキャリアの数又は構成されたキャリアの数に基づいて決定され得る。そのうえ、各キャリア上のトランスポートブロックの数及びＨＡＲＱ−ＡＣＫバンドリングが適用されるかもまた考慮に入れられる。
【００６６】
ＰＵＣＣＨフォーマット３と同様のやり方で、ｎPUCCH(4)と表されるＰＵＣＣＨフォーマット４についてのＰＵＣＣＨリソースが、上位レイヤ構成及びＤＬ割り当てからの動的な標識に従って決定される。いくつかの実施形態では、ＰＵＣＣＨフォーマット４リソースｎPUCCH(4)に基づいて、ＰＵＣＣＨフォーマット４リソースのリソースブロック番号ｍは、次式により決定される。
【００６７】
【数４】
0006542910.tif 000006
【００６８】
ここで、ＮSF,0PUCCHは、最初のスロット（即ち、スロット０）内の直交シーケンスの長さを表す。
【００６９】
他のいくつかの実施形態において、ＰＵＣＣＨフォーマット４のリソース割り当ては、最初に構成されるＰＵＣＣＨフォーマット４リソース及び最初のスロットについての直交シーケンスの長さに基づいて直接的に定義される。ワイヤレスデバイス１６は、送信時に、ＮPUCCH4で表される所要のＰＵＣＣＨフォーマット４リソースの数に依存して、いくつのリソースを割り当てるべきかを決定するはずである。各リソースは次の通り定義される
【００７０】
【数５】
0006542910.tif 000007
【００７１】
２つのスロットについて適用される直交シーケンスは、ＰＵＣＣＨフォーマット３向けのアプローチに類似する。１つの例において、同じＯＣＣが複数のＰＲＢに適用される。他の例において、予め定義されるルールに従って、異なる複数のＰＲＢに異なるＯＣＣが適用される。ある原理は、最小のインデックスを伴うリソースブロック番号のために使用されるＯＣＣがＰＵＣＣＨフォーマット３向けの同じアプローチに厳密に従うべきであるというものである。これがフォールバック動作を可能にする。
【００７２】
他のいくつかの実施形態において、ワイヤレスデバイス１６は、基地局１２によりＰＵＣＣＨフォーマット４リソースのセットと共に構成される。そして、各リソースは、例えば次のようにして個別に決定され得る：
【００７３】
【数６】
0006542910.tif 000008
【００７４】
最大数のリソースと共にワイヤレスデバイス１６を構成することが可能であるとしても、ワイヤレスデバイス１６は、ＮPUCCH4個までのリソースを使用するのみであろう。
【００７５】
ｉｉ．手段２：修正されたＰＵＣＣＨフォーマット３の使用
いくつかの実施形態において、ＰＵＣＣＨフォーマット４は、複数のＰＲＢ上で修正されたＰＵＣＣＨフォーマット３（例えば、ＴＢＣＣを伴うＰＵＣＣＨフォーマット３）を使用する。いくつかの実施形態において、ＰＵＣＣＨフォーマット４について必要とされるＰＲＢの数は、ＮPUCCH4として表され、次のように計算される
【００７６】
【数７】
0006542910.tif 000009
【００７７】
ここで、ＯACKは、合計のＨＡＲＱ−ＡＣＫビットの数であり、ｑは修正されたＰＵＣＣＨフォーマット３（例えば、ＴＢＣＣを伴うＰＵＣＣＨフォーマット３）を用いて１ＰＲＢにより搬送可能なＨＡＲＱ−ＡＣＫビットの最大数である。上の定式において、２２がレガシーＰＵＣＣＨフォーマット３により既にサポートされているＨＡＲＱ−ＡＣＫビットの最大数を反映する。
【００７８】
他のいくつかの実施形態において、ＰＵＣＣＨフォーマット４について必要とされるＰＲＢの数は、ＮPUCCH4として表され、次のように計算される
【００７９】
【数８】
0006542910.tif 000010
【００８０】
ここで、ＯACKは、合計のＨＡＲＱ−ＡＣＫビットの数であり、ｑは修正されたＰＵＣＣＨフォーマット３（例えば、ＴＢＣＣを伴うＰＵＣＣＨフォーマット３）を用いて１ＰＲＢにより搬送可能なＨＡＲＱ−ＡＣＫビットの最大数である。
【００８１】
ＰＵＣＣＨフォーマット３と同様のやり方で、ｎPUCCH(4)と表されるＰＵＣＣＨフォーマット４についてのＰＵＣＣＨリソースが、上位レイヤ構成及びＤＬ割り当てからの動的な標識に従って決定される。ＰＵＣＣＨフォーマット４リソースｎPUCCH(4)に基づいて、ＰＵＣＣＨフォーマット４リソースのリソースブロック番号ｍは、次式により決定される。
【００８２】
【数９】
0006542910.tif 000011
【００８３】
２つのスロットについて適用される直交シーケンスは、ＰＵＣＣＨフォーマット３向けのアプローチに類似する。１つの例において、同じＯＣＣが複数のＰＲＢに適用される。他の例において、予め定義されるルールに従って、異なる複数のＰＲＢに異なるＯＣＣが適用される。ある原理は、最小のインデックスを伴うリソースブロック番号のために使用されるＯＣＣがＰＵＣＣＨフォーマット３向けの同じアプローチに厳密に従うべきであるというものである。これがフォールバック動作を可能にする。
【００８４】
Ｂ．ＰＵＣＣＨフォーマット４のデザインオプション２についてのリソース割り当て
ＰＵＣＣＨフォーマット４についてのデザインオプション２は、（単一のＰＲＢ上で）複数のＯＣＣを伴うレガシーのＰＵＣＣＨフォーマット３又は修正されたＰＵＣＣＨフォーマット３（例えば、ＴＢＣＣを伴うＰＵＣＣＨフォーマット３）を用いて、現行の又はレガシーのＰＵＣＣＨフォーマット３で可能なものよりも多くのＨＡＲＱ−ＡＣＫビットを搬送すること（即ち、レガシーＰＵＣＣＨフォーマット３のキャパシティを上回る数のＨＡＲＱ−ＡＣＫビットを搬送すること）である。
【００８５】
ｉ．手段１：レガシーＰＵＣＣＨフォーマット３の使用
いくつかの実施形態において、ＰＵＣＣＨフォーマット４は、複数のＯＣＣを伴うレガシーのＰＵＣＣＨフォーマット３を使用する。ＰＵＣＣＨフォーマット４について必要とされるＯＣＣの数は、ＣPUCCH4として表され、次のように計算される
【００８６】
【数１０】
0006542910.tif 000012
【００８７】
ここで、ＯACKは、合計のＨＡＲＱ−ＡＣＫビットの数であり、ｑはＰＵＣＣＨフォーマット３を用いて１ＰＲＢ及び１ＯＣＣにより搬送可能なＨＡＲＱ−ＡＣＫビットの最大数であり、即ちｑは２２に等しい。ＣPUCCH4は、ＮSF,1PUCCH以下である。
【００８８】
２つのスロットについて適用される直交シーケンスは、予め定義される基底シーケンスを基準として、サイクリックシフトｎoc,0，ｎoc,0＋１，…，ｎoc,0＋ＣPUCCH4−１、及びｎoc,1，ｎoc,1＋１，…，ｎoc,10＋ＣPUCCH4−１により定義され、それらは次式により導出される
【００８９】
【数１１】
0006542910.tif 000013
【００９０】
ここで、ＮSF,0PUCCHは、スロット０についての直交シーケンスの長さであり、ＮSF,1PUCCHは、スロット１についての直交シーケンスの長さであり、通常のＰＵＣＣＨフォーマット４を用いるサブフレーム内の双方のスロットについてＮSF,0PUCCH＝ＮSF,1PUCCH＝５とされ、一方で、短縮されるＰＵＣＣＨフォーマット４を用いるサブフレーム内の第１のスロット及び第２のスロットについてＮSF,0PUCCH＝ＮSF,1PUCCH＝４とされる。
【００９１】
ＰＵＣＣＨフォーマット３と同様のやり方で、ｎPUCCH(4)と表されるＰＵＣＣＨフォーマット４についてのＰＵＣＣＨリソースが、上位レイヤ構成及びＤＬ割り当てからの動的な標識に従って決定される。ｎPUCCH(4)としてのＰＵＣＣＨフォーマット４リソースに基づいて、ＰＵＣＣＨフォーマット４リソースのリソースブロック番号ｍは、次式により決定される
【００９２】
【数１２】
0006542910.tif 000014
【００９３】
ｉｉ．手段２：修正されたＰＵＣＣＨフォーマット３の使用
いくつかの実施形態において、ＰＵＣＣＨフォーマット４は、複数のＯＣＣを伴う修正されたＰＵＣＣＨフォーマット３（例えば、ＴＢＣＣを伴うＰＵＣＣＨフォーマット３）を使用する。いくつかの実施形態において、ＰＵＣＣＨフォーマット４について必要とされるＯＣＣの数は、ＣPUCCH4として表され、次のように計算される
【００９４】
【数１３】
0006542910.tif 000015
【００９５】
ここで、ＯACKは、合計のＨＡＲＱ−ＡＣＫビットの数であり、ｑは修正されたＰＵＣＣＨフォーマット３（例えば、ＴＢＣＣを伴うＰＵＣＣＨフォーマット３）を用いて１ＯＣＣで１ＰＲＢにより搬送可能なＨＡＲＱ−ＡＣＫビットの最大数である。ＣPUCCH4は、ＮSF,1PUCCH以下である。
【００９６】
他のいくつかの実施形態において、ＰＵＣＣＨフォーマット４について必要とされるＯＣＣの数は、ＣPUCCH4として表され、次のように計算される
【００９７】
【数１４】
0006542910.tif 000016
【００９８】
ここで、ＯACKは、合計のＨＡＲＱ−ＡＣＫビットの数であり、ｑは修正されたＰＵＣＣＨフォーマット３（例えば、ＴＢＣＣを伴うＰＵＣＣＨフォーマット３）を用いて１ＯＣＣで１ＰＲＢにより搬送可能なＨＡＲＱ−ＡＣＫビットの最大数である。ＣPUCCH4は、ＮSF,1PUCCH以下である。
【００９９】
２つのスロットについて適用される直交シーケンスは、予め定義される基底シーケンスを基準として、サイクリックシフトｎoc,0，ｎoc,0＋１，…，ｎoc,0＋ＣPUCCH4−１、及びｎoc,1，ｎoc,1＋１，…，ｎoc,10＋ＣPUCCH4−１により定義され、それらは次式により導出される
【０１００】
【数１５】
0006542910.tif 000017
【０１０１】
ここで、ＮSF,0PUCCHは、スロット０についての直交シーケンスの長さであり、ＮSF,1PUCCHは、スロット１についての直交シーケンスの長さであり、通常のＰＵＣＣＨフォーマット４を用いるサブフレーム内の双方のスロットについてＮSF,0PUCCH＝ＮSF,1PUCCH＝５とされ、一方で、短縮されるＰＵＣＣＨフォーマット４を用いるサブフレーム内の第１のスロット及び第２のスロットについてＮSF,0PUCCH＝ＮSF,1PUCCH＝４とされる。
【０１０２】
ＰＵＣＣＨフォーマット３と同様のやり方で、ｎPUCCH(4)と表されるＰＵＣＣＨフォーマット４についてのＰＵＣＣＨリソースが、上位レイヤ構成及びＤＬ割り当てからの動的な標識に従って決定される。ＰＵＣＣＨフォーマット４リソースｎPUCCH(4)に基づいて、ＰＵＣＣＨフォーマット４リソースのリソースブロック番号ｍは、次式により決定される
【０１０３】
【数１６】
0006542910.tif 000018
【０１０４】
Ｃ．ＰＵＣＣＨフォーマット４のデザインオプション３についてのリソース割り当て
ＰＵＣＣＨフォーマット４についてのデザインオプション３は、複数のＰＲＢ上で複数のＯＣＣを伴うレガシーのＰＵＣＣＨフォーマット３又は修正されたＰＵＣＣＨフォーマット３（例えば、ＴＢＣＣを伴うＰＵＣＣＨフォーマット３）を用いて、現行の又はレガシーのＰＵＣＣＨフォーマット３で可能なものよりも多くのＨＡＲＱ−ＡＣＫビットを搬送すること（即ち、レガシーＰＵＣＣＨフォーマット３のキャパシティを上回る数のＨＡＲＱ−ＡＣＫビットを搬送すること）である。
【０１０５】
ＰＵＣＣＨフォーマット４のためのＯＣＣの合計数は、ＣPUCCH4として表され、次のように計算される
【０１０６】
【数１７】
0006542910.tif 000019
【０１０７】
ここで、ＯACKは、合計のＨＡＲＱ−ＡＣＫビットの数であり、ｑはＰＵＣＣＨフォーマット３を用いて１ＰＲＢ及び１ＯＣＣにより搬送可能なＨＡＲＱ−ＡＣＫビットの最大数であり、即ちｑは２２に等しい。ＣPUCCH4は、このケースではＮSF,1PUCCHよりも大きい。
【０１０８】
ＰＵＣＣＨフォーマット４についてのＰＲＢの数は、ＮPUCCH4として表され、次のように計算される
【０１０９】
【数１８】
0006542910.tif 000020
【０１１０】
Ｄ．ＰＵＣＣＨフォーマット４のデザインオプション４についてのリソース割り当て
ＰＵＣＣＨフォーマット４についてのデザインオプション４は、ＰＵＣＣＨフォーマット４についてＰＵＳＣＨ構造、即ちスロットごとに１つの復調リファレンス信号（ＤＭＲＳ）を使用することであり、残余のリソースエレメント（ＲＥ）がＵＣＩ情報を送信するために使用される。ＵＣＩ情報ビットの符号化は、ターボ符号又は畳み込み符号であり得るであろう。このオプションについてのリソース割り当ては、上位レイヤシグナリングであり、又はＤＬ割り当て用のＤＣＩメッセージ内に追加され得る。
【０１１１】
＜ＩＩＩ．ＰＵＣＣＨ送信＞
図３は、本開示のいくつかの実施形態に係るＰＵＣＣＨフォーマット４を用いてＰＵＣＣＨを送信するための、ワイヤレスデバイス１６の動作を示すフローチャートである。図示したように、ワイヤレスデバイス１６は、上述した通り、ＰＵＣＣＨフォーマット４送信のためのリソース割り当てを決定する（ステップ１００）。上で議論したように、ＰＵＣＣＨフォーマット４は、複数のＰＲＢ上で、（単一のＰＲＢ上で）複数のＯＣＣを伴って、又は、複数のＰＲＢ及び複数のＯＣＣの双方を伴って、レガシーの又は修正されたＰＵＣＣＨフォーマット３を使用し得る。これらオプションの各々において、リソース割り当てが決定されるやり方は上で説明されている。ワイヤレスデバイス１６は、決定されたリソース割り当てを用いて、ＰＵＣＣＨフォーマット４送信信号を送信する（ステップ１０２）。
【０１１２】
＜ＩＶ．ＰＵＣＣＨフォーマット４についてのフォールバック動作＞
以下の議論は、ＰＵＣＣＨフォーマット４の複数のデザインオプションについてのフォールバック動作の実施形態を提供する。フォールバック手続を示すフローチャートが図４に示されている。図示したように、ワイヤレスデバイス１６は、ＰＵＣＣＨフォーマット１ａ／１ｂへフォールバックすべきかを判定する（ステップ２００）。そうである場合、ＰＵＣＣＨフォーマット４を用いて送信を行うよりもむしろ、ワイヤレスデバイス１６は、ＰＵＣＣＨフォーマット１ａ／１ｂでＰＵＣＣＨ送信信号を送信する（ステップ２０２）。ワイヤレスデバイス１６は、ＰＵＣＣＨフォーマット１ａ／１ｂへのフォールバックが適切ではないと判定すると、ＰＵＣＣＨフォーマット３へフォールバックすべきかを判定する（ステップ２０４）。そうである場合、ワイヤレスデバイス１６は、ＰＵＣＣＨフォーマット３でＰＵＣＣＨ送信信号を送信する（ステップ２０６）。そうではなく、ＰＵＣＣＨフォーマット３へのフォールバックもまた適切ではない場合、ワイヤレスデバイス１６は、新たなＰＵＣＣＨフォーマット（あらためて言うと、ここではＰＵＣＣＨフォーマット４という）でＰＵＣＣＨ送信信号を送信する（ステップ２０８）。
【０１１３】
図５は、本開示のいくつかの実施形態に係るフォールバック手続を示すフローチャートである。概して、フォールバック決定は、所望のフィードバックを提供するために１サブフレーム内に要するフィードバックビットの数に基づいてなされる。図示したように、ワイヤレスデバイス１６は、サブフレームについて要するフィードバックビットの数が第１の閾値Ｍ１以下であるかを判定する（ステップ３００）。いくつかの具体的な実施形態において、第１の閾値Ｍ１は２である。サブフレームについて要するフィードバックビットの数が第１の閾値Ｍ１以下である場合、ワイヤレスデバイス１６は、ＰＵＣＣＨフォーマット１ａ／１ｂへフォールバックすることを決定し、そのため、ＰＵＣＣＨフォーマット１ａ／１ｂでそのサブフレームについてのＰＵＣＣＨ送信信号を送信する（ステップ３０２）。サブフレームについて要するフィードバックビットの数が第１の閾値Ｍ１よりも大きく、但し第２の閾値Ｍ２以下である場合（ステップ３０４；ＹＥＳ）、ワイヤレスデバイス１６は、ＰＵＣＣＨフォーマット３へフォールバックすることを決定し、そのため、ＰＵＣＣＨフォーマット３でそのサブフレームについてのＰＵＣＣＨ送信信号を送信する（ステップ３０６）。いくつかの具体的な実施形態において、第２の閾値Ｍ２は２２である。サブフレームについて要するフィードバックビットの数が第２の閾値Ｍ２よりも大きい場合（ステップ３０４；ＮＯ）、ワイヤレスデバイス１６は、フォールバックすべきでないことを決定し、そのため、ＰＵＣＣＨフォーマット４でそのサブフレームについてのＰＵＣＣＨ送信信号を送信する（ステップ３０８）。
【０１１４】
とりわけ、図５はＰＵＣＣＨフォーマット１ａ／１ｂへのフォールバックのためにフィードバックビット数が第１の閾値Ｍ１よりも小さいという条件に焦点を当てているものの、以下に議論するように、ＰＵＣＣＨフォーマット１ａ／１ｂへのフォールバックの前に、１つ以上の追加的な条件もまた必要であってもよい。例えば、以下に議論するように、ＰＵＣＣＨがＰＣｅｌｌ上で提供される場合、追加的な条件は、例えば次を含んでもよい：
・周波数分割複信（ＦＤＤ）ＰＣｅｌｌについて、ＳＣｅｌｌ上のＰＤＳＣＨ（Physical  DL  Shared  Channel）に対応する（Ｅ）ＰＤＣＣＨ（(Enhanced)  Physical  DL  Control  Channel）が受信されないという条件、及び、ＰＤＳＣＨがＰＣｅｌｌ上で受信されるという条件
・時間分割複信（ＴＤＤ）ＰＣｅｌｌについて、ＳＣｅｌｌ上のＰＤＳＣＨに対応する（Ｅ）ＰＤＣＣＨが受信されないという条件、及び、ＰＤＳＣＨがＰＣｅｌｌ上でダウンリンク割り当てインジケータ（ＤＡＩ）値が“１”に設定されたただ１つのＤＬサブフレームにおいて受信されるという条件
ＰＵＣＣＨフォーマット１ａ／１ｂへのフォールバックのための、所要フィードバックビット数に加えてやはり考慮され得る他の例示的な条件が、以下に説明される。同様のやり方で、ＰＵＣＣＨフォーマット３へのフォールバックのための１つ以上の追加的な条件もまた考慮されてよい。
【０１１５】
言い換えれば、図５の処理を次のように説明することができる。あるサブフレームにおける所要のフィードバックビットがＭ１ビットという長さを有する予め定義されるセグメンテーション（ここでは、第１の予め定義されるセグメンテーションという）内に含まれる場合、フォーマット１ａ／１ｂが使用される。例えば、リリース１０（Ｒｅｌ−１０）において、予め定義されるセグメンテーションは、最初の２ビットに相当する。一例として、Ｍ１＝２である。そうではなく、あるサブフレームにおける所要のフィードバックビットがＭ２ビットという長さを有する予め定義されるセグメンテーション（ここでは、第２の予め定義されるセグメンテーションという）内に含まれる場合、フォーマット３が使用される。１つの例として、第２の予め定義されるセグメンテーションは、最初のＭ２＝２２ビットに相当する。そうではない場合、フォーマット４といった新たなフォーマットが使用される。
【０１１６】
図６に１つの例が示されている。フィードバックビット（即ち、３２個までのセルについてのフィードバックを収容する合計Ｎ個のフィードバックビット）がａｎ（ｎ＝０，…，Ｎ−１）であり、第１のセグメンテーションがａ０，ａ１を含み、第２のセグメントがフィードバックビットａ０，ａ１，…，ａ２０，ａ２１を含むものとする。フィードバックのために要するのがａ０、ａ１のみ、又はａ０及びａ１の双方であるケースでは、フォーマット１ａ／１ｂが使用される。ａ０若しくはａ１又はａ０，ａ１に加えて、ビットａ０，…，ａ２１のうちのいくつか（又は全て）をフィードバックのために要し、他のフィードバックを要しないケースでは、フォーマット３が使用される。これら以外ならば、フォーマット４といった新たなフォーマットが使用される。
【０１１７】
以下のセクションでは、本開示の多様な実施形態についてのフォールバック動作に関する詳細な条件が提供される。概して、それら多様な条件は、フィードバックビットがＰＣｅｌｌについてのみ若しくはセルグループ内のＰＵＣＣＨ  ＳＣｅｌｌについて必要とされるか、及び／又は、所要のフィードバックビット数がＭ１以下であるか、Ｍ１よりも大きいがＭ２以下であるか、若しくはＭ２よりも大きいかを示し、そのようにして、フォールバック動作が使用されるべきか、そうである場合にはどのＰＵＣＣＨフォーマットをフォールバック動作のために使用すべきかを示す。
【０１１８】
Ａ．ＰＣｅｌｌ上のＰＵＣＣＨ
ｉ．ＰＵＣＣＨフォーマット１ａ／１ｂへのフォールバック
いくつかの実施形態において、ＰＵＣＣＨフォーマット４のフォールバックは、以下に列挙するいくつかの固有の条件についてＰＵＣＣＨフォーマット１ａ／１ｂである。
・周波数分割複信（ＦＤＤ）ＰＣｅｌｌについて、ＳＣｅｌｌ上のＰＤＳＣＨ（Physical  DL  Shared  Channel）に対応する（Ｅ）ＰＤＣＣＨ（(Enhanced)  Physical  DL  Control  Channel）が受信されず、かつ、ＰＤＳＣＨがＰＣｅｌｌ上で受信される場合に、ＰＵＣＣＨフォーマット１ａ／１ｂへフォールバックする
−このケースでは、ａ０又はａ０，ａ１のみを要する
・時間分割複信（ＴＤＤ）ＰＣｅｌｌについて、ＳＣｅｌｌ上のＰＤＳＣＨに対応する（Ｅ）ＰＤＣＣＨが受信されず、かつ、ＰＤＳＣＨがＰＣｅｌｌ上でダウンリンク割り当てインジケータ（ＤＡＩ）値が“１”に設定されたただ１つのＤＬサブフレームにおいて受信される場合に、ＰＵＣＣＨフォーマット１ａ／１ｂへフォールバックする
これら以外の場合、“ＰＵＣＣＨフォーマット３へのフォールバック”というセクションにおいて説明されるいくつかの他の固有の条件が充足されると、ＰＵＣＣＨフォーマット４はフォーマット３へフォールバックすることになる。
【０１１９】
この点において、図７Ａ及び図７Ｂは、本開示のいくつかの実施形態に係る、ワイヤレスデバイス１６により実行されるフォールバック手続を示している。図示したように、ワイヤレスデバイス１６のＰＣｅｌｌ１４−１上でＰＵＣＣＨが送信される。ＰＵＣＣＨフォーマット４を他の何らかのＰＵＣＣＨフォーマットへフォールバックすべきであるかを判定する目的で、ワイヤレスデバイス１６は、ＰＣｅｌｌ１４−１がＦＤＤキャリア上にあるか又はＴＤＤキャリア上にあるかを判定する（ステップ４００）。ワイヤレスデバイス１６のＰＣｅｌｌ１４−１がＦＤＤキャリア上にある場合、ワイヤレスデバイス１６は、（ａ）ワイヤレスデバイス１６がワイヤレスデバイス１６のいずれかのＳＣｅｌｌ１４上のＰＤＳＣＨに対応する（Ｅ）ＰＤＣＣＨを受信しておらず、かつ、（ｂ）ワイヤレスデバイス１６がＰＤＳＣＨをＰＣｅｌｌ１４−１上で受信したかを判定する（ステップ４０２）。ステップ４０２での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ４０４）。
【０１２０】
ステップ４００へ戻ると、ワイヤレスデバイス１６のＰＣｅｌｌ１４−１がＦＤＤセルではない場合（即ち、ワイヤレスデバイス１６のＰＣｅｌｌ１４−１がＴＤＤセルである場合）、ワイヤレスデバイス１６は、（ａ）ワイヤレスデバイス１６がワイヤレスデバイス１６のいずれかのＳＣｅｌｌ１４上のＰＤＳＣＨに対応する（Ｅ）ＰＤＣＣＨを受信しておらず、かつ、（ｂ）ワイヤレスデバイス１６がＰＤＳＣＨをＰＣｅｌｌ１４−１上でＤＡＩ値が“１”に設定されたただ１つのＤＬサブフレームにおいて受信したかを判定する（ステップ４０６）。ステップ４０６での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ４０４）。
【０１２１】
ＦＤＤ  ＰＣｅｌｌについてステップ４０２での条件が偽であり、又はＴＤＤ  ＰＣｅｌｌについてステップ４０６での条件が偽である場合、ワイヤレスデバイス１６は、ＰＵＣＣＨフォーマット３へのフォールバックのための１つ以上の条件が充足されるかを判定する（ステップ４０８）。いかなる適した条件が使用されてもよいものの、ＰＵＣＣＨがＰＣｅｌｌ１４−１上で送信されるケースについての、ＰＵＣＣＨフォーマット３へのフォールバックのためのいくつか例示的な条件が、以下のセクションにおいて説明される。ＰＵＣＣＨフォーマット３へのフォールバックのための条件が充足される場合、ワイヤレスデバイス１６は、ＰＵＣＣＨフォーマット３へのフォールバックが適切であると決定し、そのため、フォーマット３に従ってＰＵＣＣＨを送信する（ステップ４１０）。一方、ＰＵＣＣＨフォーマット３へのフォールバックのための条件が充足されない場合、ワイヤレスデバイス１６は、ＰＵＣＣＨフォーマット３へのフォールバックが適切ではないと決定し、そのため、（あらためて言うと、ここではフォーマット４という）新たなフォーマットに従ってＰＵＣＣＨを送信する（ステップ４１２）。
【０１２２】
ｉｉ．ＰＵＣＣＨフォーマット３へのフォールバック
ＰＵＣＣＨフォーマット１ａ／１ｂへのフォールバックの条件が充足されない場合、ＰＵＣＣＨフォーマット４は、フォーマット３へフォールバックしてもよい。フォーマット３へフォールバックするための条件は、次の実施形態に含まれる。
【０１２３】
いくつかの実施形態において、予め定義されるセルインデックスを有する１つ以上のＳＣｅｌｌ上でＰＤＳＣＨが受信され、かつ他のＳＣｅｌｌ上のＰＤＳＣＨに対応する（Ｅ）ＰＤＣＣＨが受信されない場合、ＰＵＣＣＨフォーマット４はＰＵＣＣＨフォーマット３へフォールバックする。図７Ｂのステップ４０８の１つの例示的な実施形態として見られてもよいこの判定の処理が図８に示されている。図示したように、ワイヤレスデバイス１６は、（ａ）ワイヤレスデバイス１６が予め定義されるインデックスを有する１つ以上のＳＣｅｌｌ１４上でＰＤＳＣＨを受信したか、及び（ｂ）ワイヤレスデバイス１６が他のいずれのＳＣｅｌｌ１４上のＰＤＳＣＨに対応する（Ｅ）ＰＤＣＣＨも受信しなかったかを判定する（ステップ５００）。これら条件が充足される場合、ワイヤレスデバイス１６は、ＰＵＣＣＨフォーマット３へフォールバックすべきであると決定する（ステップ５０２）。そうでない場合、ワイヤレスデバイス１６は、上記新たなＰＵＣＣＨフォーマット（フォーマット４）を使用すべきであると決定する（ステップ５０４）。
【０１２４】
予め定義されるセルインデックスの１つの例として、セルインデックス１〜４が予め定義されるセルインデックスとして設定されてもよい。この条件を所与として、全てのＣＣがＦＤＤキャリアであるとすると、第２のセグメンテーションは、ＳＲの付加無しで、ＨＡＲＱ−ＡＣＫフィードバックビットａ０，ａ１，…，ａ９を含む。全てのＣＣがＴＤＤキャリアであるとすると、第２のセグメンテーションは、ＳＲの付加無しで、ＨＡＲＱ−ＡＣＫフィードバックビットａ０，ａ１，…，ａ１９を含む。ＣＣがＦＤＤ及びＴＤＤの混成であるとすると、第２のセグメンテーションは、ＨＡＲＱ−ＡＣＫフィードバックビットａ０，ａ１，…，ａＭ−１を含み、Ｍはセルインデックス１〜４のキャリア構成により左右される。なお、ＨＡＲＱ−ＡＣＫフィードバック上に１ビットのＳＲを付加して同じＰＵＣＣＨフォーマット上で送信することができる。
【０１２５】
いくつかの実施形態において、フォーマット３フォールバックのための条件を判定するために、以下のステップを使用することができるであろう。これらステップは、図９のフローチャートに示されている。
・各ＣＣの構成、及びＨＡＲＱ−ＡＣＫフィードバックのために使用可能なＰＵＣＣＨフォーマット３のキャパシティを取得（ステップ６００）。
・フィードバックビットを選択して、取得したキャパシティに基づくサイズを有するセグメンテーションを形成（ステップ６０２）。
・ＣＣ構成及びＰＵＣＣＨ構成の情報に基づいて、形成したセグメンテーションに関連付けられるＣＣ及びサブフレームを決定（ステップ６０４）。
形成したセグメンテーションに関連付けられるセル上でのみＰＤＳＣＨが受信され、他のセル上でＰＤＳＣＨに対応する（Ｅ）ＰＤＣＣＨが受信されない場合（ステップ６０６；ＹＥＳ）、ワイヤレスデバイス１６は、ＰＵＣＣＨフォーマット３へフォールバックすべきであると決定する（ステップ６０８）。そうではない場合（ステップ６０６；ＮＯ）、ワイヤレスデバイス１６は、新たなＰＵＣＣＨフォーマット（即ち、フォーマット４）を使用すべきであると決定する（ステップ６１０）。図９の処理を、図７Ｂのステップ４０８の１つの実施形態として見ることができる。
【０１２６】
この実施形態において、関連付けられるセルインデックスは、ＰＵＣＣＨフォーマット３へのフォールバックを判定するために、異なるアップリンク（ＵＬ）サブフレームに関し異なってよい。１つの例として、ＴＤＤ  ＣＡのケースにおいて、６つのＣＣが存在するものとすると、それら６つのＣＣについてのＴＤＤ構成は、次の通りである：
・ＣＣ０：ＵＬ−ＤＬコンフィグレーション１（プライマリキャリア）
・ＣＣ１：ＵＬ−ＤＬコンフィグレーション０
・ＣＣ２：ＵＬ−ＤＬコンフィグレーション１
・ＣＣ３：ＵＬ−ＤＬコンフィグレーション１
・ＣＣ４：ＵＬ−ＤＬコンフィグレーション１
・ＣＣ５：ＵＬ−ＤＬコンフィグレーション１
ＵＬ−ＤＬコンフィグレーションは、３ＧＰＰ  ＴＳ３６．２１１Ｖ１３．０．０において定義されている。このケースにおいて、複数の異なるサブフレームについて形成されるセグメンテーションに関連付けられるセルインデックスは、次の通りである：
・サブフレーム７又はサブフレーム２上でＰＵＣＣＨが送信されるケースでは、それらサブフレーム上のＰＵＣＣＨに関連付けられるセルインデックスは、０，１，２，３，４，５である
・サブフレーム８又はサブフレーム３上でＰＵＣＣＨが送信されるケースでは、それらサブフレーム上のＰＵＣＣＨに関連付けられるセルインデックスは、０，２，３，４，５，６である
【０１２７】
いくつかの実施形態において、複数のセグメンテーションが形成されてもよい。各セグメンテーションは、１つのＰＵＣＣＨフォーマット３リソース上に割り当てられる。ＰＵＣＣＨフォーマット３リソースは、ＰＵＣＣＨフォーマット４リソースと重なり合ってもよい。さらに、ＰＵＣＣＨフォーマット３リソースは、ＰＵＣＣＨフォーマット４についてのリソース割り当てから導出されてもよい。全てのＰＤＳＣＨが１つのセグメンテーションに対応するセル上でのみ受信される場合には、ＰＵＣＣＨフォーマットはフォーマット３へフォールバックされることになり、フォールバックのためのリソースは、そのセグメンテーションに関連付けられる割り当て済みのＰＵＣＣＨフォーマット３リソースにより与えられる。図１０に示されている１つの例として、２０個のＦＤＤキャリアが存在し、ＣＣ０〜９に対応するフィードバックビットを第２のセグメントが含み、ＣＣ１０〜１９に対応するフィードバックビットを第３のセグメントが含むものとし、ＰＵＣＣＨリソース
【０１２８】
【数１９】
0006542910.tif 000021
【０１２９】
がＰＵＣＣＨフォーマット４に割り当てられていることを想定されたい。このケースでは、
・ＰＤＳＣＨがセルインデックス０〜９を伴うセル上でのみ受信され、他のセル上のＰＤＳＣＨに対応する（Ｅ）ＰＤＣＣＨが受信されない場合、フォーマット４はＰＵＣＣＨフォーマット３へフォールバックされることになり、ＰＵＣＣＨフォーマット３のためにリソースｎPUCCH(0)(4)/ＮSF,0PUCCHが使用されるであろう。
・ＰＤＳＣＨがセルインデックス１０〜１９を伴うセル上でのみ受信され、他のセル上のＰＤＳＣＨに対応する（Ｅ）ＰＤＣＣＨが受信されない場合、フォーマット４はＰＵＣＣＨフォーマット３へフォールバックされることになり、ＰＵＣＣＨフォーマット３のためにリソースｎPUCCH(1)(4)/ＮSF,0PUCCHが使用されるであろう。
・上記以外の場合、ＰＵＣＣＨフォーマット４が使用されるであろう。
【０１３０】
いくつかの実施形態において、複数のセグメンテーションが形成されてもよい。各セグメンテーションは、１つのＰＵＣＣＨフォーマット３リソースを割り当てられる。ＰＤＳＣＨが複数のセグメンテーションに関連付けられるセル上で受信される場合には、ＰＵＣＣＨフォーマットは複数のフォーマット３送信信号へフォールバックされてもよく、フォールバックのためのリソースは、それらセグメンテーションに関連付けられる割り当て済みのＰＵＣＣＨフォーマット３リソースにより与えられる。図１１に示されている１つの例として、２０個のＦＤＤキャリアが存在し、ＣＣ０〜９に対応するフィードバックビットを第２のセグメントが含み、ＣＣ１０〜１９に対応するフィードバックビットを第３のセグメントが含むものとし、ＰＵＣＣＨリソース
【０１３１】
【数２０】
0006542910.tif 000022
【０１３２】
がＰＵＣＣＨフォーマット４に割り当てられていることを想定されたい。このケースでは、
・ＰＤＳＣＨがセルインデックス０〜９を伴うセル上でのみ受信され、他のセル上のＰＤＳＣＨに対応する（Ｅ）ＰＤＣＣＨが受信されない場合、フォーマット４はＰＵＣＣＨフォーマット３へフォールバックされることになり、ＰＵＣＣＨフォーマット３のためにリソースｎPUCCH(0)(4)/ＮSF,0PUCCHが使用されるであろう。
・ＰＤＳＣＨがセルインデックス１０〜１９を伴うセル上でのみ受信され、他のセル上のＰＤＳＣＨに対応する（Ｅ）ＰＤＣＣＨが受信されない場合、フォーマット４はＰＵＣＣＨフォーマット３へフォールバックされることになり、ＰＵＣＣＨフォーマット３のためにリソースｎPUCCH(1)(4)/ＮSF,0PUCCHが使用されるであろう。
・ＰＤＳＣＨがセルインデックス０〜９を伴ういくつかのセル及びセルインデックス１０〜１９を伴ういくつかのセル上で受信され、他のセル上のＰＤＳＣＨに対応する（Ｅ）ＰＤＣＣＨが受信されない場合、フォーマット４は２つのＰＵＣＣＨフォーマット３送信信号へフォールバックされることになり、それぞれのＰＵＣＣＨフォーマット３送信信号のためにリソースｎPUCCH(0)(4)/ＮSF,0PUCCH及びリソースｎPUCCH(1)(4)/ＮSF,0PUCCHが使用されるであろう。
・上記以外の場合、ＰＵＣＣＨフォーマット４が使用されるであろう。
【０１３３】
Ｂ．ＳＣｅｌｌ上のＰＵＣＣＨ
ワイヤレスデバイス１６のＳＣｅｌｌ１４上でＰＵＣＣＨが送信されるケースでは、複数のＰＵＣＣＨセルグループが存在し得る。各ＰＵＣＣＨセルグループ内には複数のＤＬキャリアが存在し得る。ＳＣｅｌｌ１４上のＰＵＣＣＨについて、ＰＵＣＣＨ送信向けに複数の実現方法が存在する：
・ＰＵＣＣＨセルグループ内のＳＣｅｌｌ１４についてのＰＵＣＣＨを搬送するために、上位レイヤシグナリングにより構成される１つのＳＣｅｌｌ１４上でＰＵＣＣＨが送信される。
・ＰＵＣＣＨセルグループ内のＳＣｅｌｌ１４についてのＰＣｅｌｌ１４−１上でＰＵＣＣＨが送信される。
・ＰＵＣＣＨはＳＣｅｌｌ上だけで送信される（即ち、ＰＣｅｌｌ１４−１上にＰＵＣＣＨ無し）。なお、現行の合意に基づけば、Ｒｅｌ−１３においてＳＣｅｌｌ上だけのＰＵＣＣＨ（即ち、ＰＣｅｌｌ１４−１上にＰＵＣＣＨ無し）はサポートされていないが、将来のリリースにおいて議論し直される可能性がある。
【０１３４】
最初の２つの実現法について、ＰＵＣＣＨはＰＣｅｌｌ１４−１及びＳＣｅｌｌ１４の双方の上で送信される。３番目の実現法について、ＰＣｅｌｌ１４−１上にＰＵＣＣＨは無い。最初の２つの実現法について、フォールバック条件は同様である。３番目の実現法について、フォーマット１ａ／１ｂについてのフォールバック条件は、わずかに相違する。次のセクション群は、それぞれ、最初の２つの実現法及び３番目の実現法についてのフォールバック解決策に関する詳細を提供する。
【０１３５】
ｉ．ＰＵＣＣＨはＰＣｅｌｌ及びＳＣｅｌｌの双方の上で送信される
ここでは、ＰＵＣＣＨセルグループ内でＰＵＣＣＨを送信するセルを表すために、プライマリＳＣｅｌｌ（ｐＳＣｅｌｌ）が使用される。ＰＵＣＣＨセルグループ内のＳＣｅｌｌについてのＰＣｅｌｌ上でＰＵＣＣＨが送信される場合、そのＰＣｅｌｌがｐＳＣｅｌｌである。そうではない場合、ｐＳＣｅｌｌはＳＣｅｌｌのうちの１つであり、従って、ＰＵＣＣＨ−ＳＣｅｌｌともいうことができる。
【０１３６】
いくつかの実施形態において、セクション“ＰＣｅｌｌ上のＰＵＣＣＨ”内の上記説明の全てを、各ＰＵＣＣＨセルグループに適用することができる。フォールバック動作は、セルグループ間で非依存であってよい。
【０１３７】
１つの例として、ＰＵＣＣＨフォーマット１ａ／１ｂフォールバックについて、固有の条件が以下に列挙される：
・ＦＤＤ  ｐＳＣｅｌｌについて、ＰＵＣＣＨセルグループ内のＳＣｅｌｌ上のＰＤＳＣＨに対応する（Ｅ）ＰＤＣＣＨが受信されず、かつ、ＰＤＳＣＨがｐＳＣｅｌｌ上で受信される場合に、ＰＵＣＣＨフォーマット１ａ／１ｂへフォールバックする
・ＴＤＤ  ｐＳＣｅｌｌについて、ＰＵＣＣＨセルグループ内のＳＣｅｌｌ上のＰＤＳＣＨに対応する（Ｅ）ＰＤＣＣＨが受信されず、かつ、ＰＤＳＣＨがｐＳＣｅｌｌ上でＤＡＩ値が“１”に設定されたただ１つのＤＬサブフレームにおいて受信される場合に、ＰＵＣＣＨフォーマット１ａ／１ｂへフォールバックする
【０１３８】
この点において、図１２Ａ及び図１２Ｂは、本開示のいくつかの実施形態に係る、ワイヤレスデバイス１６により実行されるフォールバック手続を示している。このフォールバック手続は、上で提供したＰＵＣＣＨフォーマット１ａ／１ｂへのフォールバックのための条件を実装する。図示したように、ＰＣｅｌｌ１４−１及びＳＣｅｌｌ１４の双方の上でＰＵＣＣＨが送信される。ＰＵＣＣＨフォーマット４を他の何らかのＰＵＣＣＨフォーマットへフォールバックすべきであるかを判定する目的で、ワイヤレスデバイス１６は、ＰＵＣＣＨ送信が望まれている対象のＰＵＣＣＨセルグループについて、ワイヤレスデバイス１６のＰＣｅｌｌ１４−１又はＳＣｅｌｌ１４のうちの１つであり得るｐＳＣｅｌｌがＦＤＤキャリア上にあるか又はＴＤＤキャリア上にあるかを判定する（ステップ７００）。ワイヤレスデバイス１６のｐＳＣｅｌｌがＦＤＤキャリア上にある場合、ワイヤレスデバイス１６は、（ａ）ワイヤレスデバイス１６がＰＵＣＣＨセルグループ内のワイヤレスデバイス１６のいずれのＳＣｅｌｌ１４上のＰＤＳＣＨに対応する（Ｅ）ＰＤＣＣＨも受信しておらず、かつ、（ｂ）ワイヤレスデバイス１６がＰＤＳＣＨをＰＵＣＣＨセルグループのｐＳＣｅｌｌ上で受信したかを判定する（ステップ７０２）。ステップ７０２での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ７０４）。
【０１３９】
ステップ７００へ戻ると、ＰＵＣＣＨセルグループについてのワイヤレスデバイス１６のｐＳＣｅｌｌがＦＤＤセルではない場合（即ち、ワイヤレスデバイス１６のｐＳＣｅｌｌがＴＤＤセルである場合）、ワイヤレスデバイス１６は、（ａ）ワイヤレスデバイス１６がＰＵＣＣＨセルグループ内のワイヤレスデバイス１６のいずれのＳＣｅｌｌ上のＰＤＳＣＨに対応する（Ｅ）ＰＤＣＣＨも受信しておらず、かつ、（ｂ）ワイヤレスデバイス１６がＰＤＳＣＨをｐＳＣｅｌｌ上でＤＡＩ値が“１”に設定されたただ１つのＤＬサブフレームにおいて受信したかを判定する（ステップ７０６）。ステップ７０６での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ７０４）。
【０１４０】
ＦＤＤ  ｐＳＣｅｌｌについてステップ７０２での条件が偽であり、又はＴＤＤ  ｐＳＣｅｌｌについてステップ７０６での条件が偽である場合、ワイヤレスデバイス１６は、ＰＵＣＣＨフォーマット３へのフォールバックのための１つ以上の条件が充足されるかを判定する（ステップ７０８）。いかなる適した条件が使用されてもよいものの、ＰＵＣＣＨがＰＣｅｌｌ１４−１上で送信されるケースについての、ＰＵＣＣＨフォーマット３へのフォールバックのためのいくつか例示的な条件が、以下で説明される。ＰＵＣＣＨフォーマット３へのフォールバックのための条件が充足される場合、ワイヤレスデバイス１６は、ＰＵＣＣＨフォーマット３へのフォールバックが適切であると決定し、そのため、フォーマット３に従ってＰＵＣＣＨを送信する（ステップ７１０）。一方、ＰＵＣＣＨフォーマット３へのフォールバックのための条件が充足されない場合、ワイヤレスデバイス１６は、ＰＵＣＣＨフォーマット３へのフォールバックが適切ではないと決定し、そのため、（あらためて言うと、ここではフォーマット４という）新たなフォーマットに従ってＰＵＣＣＨを送信する（ステップ７１２）。
【０１４１】
ＰＵＣＣＨフォーマット３へのフォールバックについて、上でセクション“ＰＣｅｌｌ上のＰＵＣＣＨ”において説明した実施形態は、次のように更新され得る：
・実施形態＃１：予め定義されるセルインデックスを有する、ＰＵＣＣＨセルグループ内の１つ以上のＳＣｅｌｌ上でＰＤＳＣＨが受信され、かつ当該ＰＵＣＣＨセルグループ内の他のＳＣｅｌｌ上のＰＤＳＣＨに対応する（Ｅ）ＰＤＣＣＨが受信されない場合、ＰＵＣＣＨフォーマット３へフォールバックする。これが図１３に示されている。この処理は、図１２Ｂのステップ７０８の１つの例示的な実施形態として見られてもよい。図示したように、ワイヤレスデバイス１６は、（ａ）ワイヤレスデバイス１６が予め定義されるインデックスを有する、ＰＵＣＣＨセルグループ内の１つ以上のＳＣｅｌｌ上でＰＤＳＣＨを受信したか、及び（ｂ）ワイヤレスデバイス１６が当該ＰＵＣＣＨセルグループ内の他のいずれのＳＣｅｌｌ上のＰＤＳＣＨに対応する（Ｅ）ＰＤＣＣＨも受信しなかったかを判定する（ステップ８００）。これら条件が充足される場合、ワイヤレスデバイス１６は、ＰＵＣＣＨフォーマット３へフォールバックすべきであると決定する（ステップ８０２）。そうでない場合、ワイヤレスデバイス１６は、上記新たなＰＵＣＣＨフォーマット（フォーマット４）を使用すべきであると決定する（ステップ８０４）。
・実施形態＃２：いくつかの実施形態において、フォーマット３フォールバックのための条件を判定するために、以下のステップを使用することができるであろう。これらステップは、図１４のフローチャートに示されている。
−ＰＵＣＣＨセルグループ内の各ＣＣの構成、及びＨＡＲＱ−ＡＣＫフィードバックのために使用可能なＰＵＣＣＨフォーマット３のキャパシティを取得（ステップ９００）。
−ＨＡＲＱ−ＡＣＫフフィードバックビットを選択して、取得したキャパシティに基づくサイズを有するセグメンテーションを形成（ステップ９０２）。
−ＣＣ構成及びＰＵＣＣＨ構成についての情報に基づいて、形成したセグメンテーションに関連付けられるＣＣ及びサブフレームを決定（ステップ９０４）。
−ＰＵＣＣＨセルグループ内の形成したセグメンテーションに関連付けられるセル上でのみＰＤＳＣＨが受信され、当該ＰＵＣＣＨセルグループ内の他のセル上でＰＤＳＣＨに対応する（Ｅ）ＰＤＣＣＨが受信されない場合（ステップ９０６；ＹＥＳ）、ＰＵＣＣＨフォーマット３へフォールバックする（ステップ９０８）。そうではない場合（ステップ９０６；ＮＯ）、新たなＰＵＣＣＨフォーマット（即ち、ＰＵＣＣＨフォーマット４）を使用すべきであると決定する（ステップ９１０）。
・実施形態＃３：いくつかの実施形態において、各ＰＵＣＣＨセルグループ内で複数のセグメンテーションが形成されてもよい。
【０１４２】
セクション“ＰＣｅｌｌ上のＰＵＣＣＨ”内の全ての実施形態が本セクションにおいて詳説されているわけではない。同様の原理を実施形態に適用することが可能であり、それらはここでは繰り返されない。
【０１４３】
ｉｉ．ＰＵＣＣＨはＳＣｅｌｌ上でのみ送信される（即ち、ＰＣｅｌｌ上にＰＵＣＣＨ無し）
このケースについて、ＰＣｅｌｌ上のＰＵＣＣＨ、並びにＰＣｅｌｌ及びＳＣｅｌｌ上のＰＵＣＣＨについて上で説明したフォーマット１ａ／１ｂへのフォールバックは、次のように修正される：
・ＦＤＤ  ＰＣｅｌｌについて、ＳＣｅｌｌ上のＰＤＳＣＨに対応する（Ｅ）ＰＤＣＣＨが受信されず、かつ、ＰＤＳＣＨがＰＣｅｌｌ上で受信される場合に、ＰＵＣＣＨフォーマット１ａ／１ｂへフォールバックする。ＰＵＣＣＨフォーマット１ａ／１ｂは、ＳＣｅｌｌのＵＬキャリア上で送信される。
・ＴＤＤ  ＰＣｅｌｌについて、ＳＣｅｌｌ上のＰＤＳＣＨに対応する（Ｅ）ＰＤＣＣＨが受信されず、かつ、ＰＤＳＣＨがＰＣｅｌｌ上でＤＡＩ値が“１”に設定されたただ１つのＤＬサブフレームにおいて受信される場合に、ＰＵＣＣＨフォーマット１ａ／１ｂへフォールバックする。ＰＵＣＣＨフォーマット１ａ／１ｂは、ＳＣｅｌｌのＵＬキャリア上で送信される。
・ＦＤＤ  ｐＳＣｅｌｌについて、ＰＵＣＣＨセルグループ内の他のセル上のＰＤＳＣＨに対応する（Ｅ）ＰＤＣＣＨが受信されず、かつ、ＰＤＳＣＨがｐＳＣｅｌｌ上で受信される場合に、ＰＵＣＣＨフォーマット１ａ／１ｂへフォールバックする。ＰＵＣＣＨフォーマット１ａ／１ｂは、ＳＣｅｌｌのＵＬキャリア上で送信される。
・ＴＤＤ  ｐＳＣｅｌｌについて、ＰＵＣＣＨセルグループ内の他のセル上のＰＤＳＣＨに対応する（Ｅ）ＰＤＣＣＨが受信されず、かつ、ＰＤＳＣＨがｐＳＣｅｌｌ上でＤＡＩ値が“１”に設定されたただ１つのＤＬサブフレームにおいて受信される場合に、ＰＵＣＣＨフォーマット１ａ／１ｂへフォールバックする。ＰＵＣＣＨフォーマット１ａ／１ｂは、ＳＣｅｌｌのＵＬキャリア上で送信される。
【０１４４】
この点において、図１５Ａ及び図１５Ｂは、本開示のいくつかの実施形態に係る、ワイヤレスデバイス１６により実行されるフォールバック手続を示している。このフォールバック手続は、上で提供したＰＵＣＣＨフォーマット１ａ／１ｂへのフォールバックのための条件を実装する。図示したように、ＳＣｅｌｌ上でのみＰＵＣＣＨが送信される。ＰＵＣＣＨフォーマット４を他の何らかのＰＵＣＣＨフォーマットへフォールバックすべきであるかを判定する目的で、ワイヤレスデバイス１６は、ＰＵＣＣＨ送信が望まれている対象のＰＵＣＣＨセルグループについて、このケースではワイヤレスデバイス１６のＳＣｅｌｌ１４のうちの１つであるｐＳＣｅｌｌがＦＤＤキャリア上にあるか又はＴＤＤキャリア上にあるかを判定する（ステップ１０００）。ワイヤレスデバイス１６のｐＳＣｅｌｌがＦＤＤキャリア上にある場合、ワイヤレスデバイス１６は、（ａ）ワイヤレスデバイス１６がＰＵＣＣＨセルグループ内のワイヤレスデバイス１６の他のいずれのＳＣｅｌｌ上のＰＤＳＣＨに対応する（Ｅ）ＰＤＣＣＨも受信しておらず、かつ、（ｂ）ワイヤレスデバイス１６がＰＤＳＣＨをＰＵＣＣＨセルグループのｐＳＣｅｌｌ上で受信したかを判定する（ステップ１００２）。ステップ１００２での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ１００４）。
【０１４５】
ステップ１０００へ戻ると、ＰＵＣＣＨセルグループについてのワイヤレスデバイス１６のｐＳＣｅｌｌがＦＤＤセルではない場合（即ち、ワイヤレスデバイス１６のｐＳＣｅｌｌがＴＤＤセルである場合）、ワイヤレスデバイス１６は、（ａ）ワイヤレスデバイス１６がＰＵＣＣＨセルグループ内のワイヤレスデバイス１６の他のいずれのＳＣｅｌｌ上のＰＤＳＣＨに対応する（Ｅ）ＰＤＣＣＨも受信しておらず、かつ、（ｂ）ワイヤレスデバイス１６がＰＤＳＣＨをｐＳＣｅｌｌ上でＤＡＩ値が“１”に設定されたただ１つのＤＬサブフレームにおいて受信したかを判定する（ステップ１００６）。ステップ１００６での条件が真である場合、ワイヤレスデバイス１６は、ＰＵＣＣＨフォーマット１ａ／１ｂへのフォールバックが適切であると決定し、そのため、フォーマット１ａ／１ｂに従ってＰＵＣＣＨを送信する（ステップ１００４）。
【０１４６】
ＦＤＤ  ｐＳＣｅｌｌについてステップ１００２での条件が偽であり、又はＴＤＤ  ｐＳＣｅｌｌについてステップ１００６での条件が偽である場合、ワイヤレスデバイス１６は、ＰＵＣＣＨフォーマット３へのフォールバックのための１つ以上の条件が充足されるかを判定する（ステップ１００８）。いかなる適した条件が使用されてもよいものの、ＰＵＣＣＨがＰＣｅｌｌ１４−１上で送信されるケースについての、ＰＵＣＣＨフォーマット３へのフォールバックのためのいくつか例示的な条件が、以下で説明される。ＰＵＣＣＨフォーマット３へのフォールバックのための条件が充足される場合、ワイヤレスデバイス１６は、ＰＵＣＣＨフォーマット３へのフォールバックが適切であると決定し、そのため、フォーマット３に従ってＰＵＣＣＨを送信する（ステップ１０１０）。一方、ＰＵＣＣＨフォーマット３へのフォールバックのための条件が充足されない場合、ワイヤレスデバイス１６は、ＰＵＣＣＨフォーマット３へのフォールバックが適切ではないと決定し、そのため、（あらためて言うと、ここではフォーマット４という）新たなフォーマットに従ってＰＵＣＣＨを送信する（ステップ１０１２）。
【０１４７】
ＰＵＣＣＨは、ＰＣｅｌｌ及びＳＣｅｌｌの双方の上でのＰＵＣＣＨに関連するセクションについて上で説明したようにＰＵＣＣＨフォーマット３へフォールバックしてもよい。
【０１４８】
＜Ｖ．システム動作並びにワイヤレスデバイス及び基地局の実施形態＞
図１６は、本開示のいくつかの実施形態に係る基地局１２及びワイヤレスデバイス１６の動作を示している。図示したように、基地局１２は、１つ以上のセル（例えば、ＰＣｅｌｌ１４−１及び、いくつかのケースでは、ＳＣｅｌｌ１４−２〜１４−３２のうちの１つ以上）上でワイヤレスデバイス１６へ（例えば、ＰＤＳＣＨ上で）ＤＬ送信信号を送信する。ワイヤレスデバイス１６は、それぞれのセル上でのＤＬ送信についてのＨＡＲＱ−ＡＣＫを含むＰＵＣＣＨ送信のためのＰＵＣＣＨフォーマットを判定する（ステップ１１０２）。判定されるＰＵＣＣＨフォーマットは、ＰＵＣＣＨフォーマット４であるか、又は、フォールバックが適切であるとワイヤレスデバイス１６が決定する場合には、上で議論したように、ＰＵＣＣＨフォーマット１ａ／１ｂであるか若しくはＰＵＣＣＨフォーマット３であるかのいずれかである。ワイヤレスデバイス１６は、判定したＰＵＣＣＨフォーマットで、適切なセル（例えば、ＰＣｅｌｌ又はｐＳＣｅｌｌ）上でＰＵＣＣＨ送信信号を送信する（ステップ１１０４）。基地局１２は、当業者により理解されるであろう通りに、ＰＵＣＣＨ送信信号を受信し及び処理する（ステップ１１０６）。
【０１４９】
図１７は、本開示のいくつかの実施形態に係る基地局１２の概略ブロック図である。本議論は、他のタイプの無線アクセスノードにも等しく適用可能である。さらに、他のタイプのネットワークノードが（特に、プロセッサ、メモリ及びネットワークインタフェースを含むことに関して）同様のアーキテクチャを有してもよい。図示したように、基地局１２は、１つ以上のプロセッサ２０（例えば、ＣＰＵ（Central  Processing  Units）、ＡＳＩＣ（Application  Specific  Integrated  Circuits）及び／又はＦＰＧＡ（Field  Programmable  Gate  Arrays）など）、メモリ２２並びにネットワークインタフェースを含むベースバンドユニット１８と共に、１つ以上のアンテナ３２へ連結される送信機２８及び１つ以上の受信機３０を各々含む１つ以上の無線ユニット２６を含む。いくつかの実施形態において、上述した基地局１２の機能性（又は、より一般的に無線アクセスノードの機能性、若しくはより一般的にネットワークノードの機能性）は、全体的に又は部分的に、例えばメモリ２２内に記憶され及びプロセッサ２０により実行されるソフトウェアで実装されてもよい。
【０１５０】
いくつかの実施形態において、少なくとも１つのプロセッサにより実行された場合に、当該少なくとも１つのプロセッサに、ここで説明した実施形態のいずれかに係る基地局１２の機能性を遂行させる命令、を含むコンピュータプログラムが提供される。いくつかの実施形態において、上述したコンピュータプログラムプロダクトを含む担体が提供される。その担体は、電子信号、光信号、無線信号又はコンピュータ読取可能な記憶媒体（例えば、メモリなどの、非一時的なコンピュータ読取可能な媒体）のうちの１つである。
【０１５１】
図１８は、本開示の他のいくつかの実施形態に係る基地局１２の概略ブロック図である。基地局１２は、各々がソフトウェアで実装される１つ以上のモジュール３４を含む。それらモジュール３４は、ここで説明した基地局１２の機能性を提供する。例えば、それらモジュール３４は、ワイヤレスデバイス１６からのＰＵＣＣＨ送信信号を受信し及び処理するための１つ以上のモジュール３４を含んでもよい。
【０１５２】
図１９は、本開示のいくつかの実施形態に係るワイヤレスデバイス１６（例えば、ＵＥ）の概略ブロック図である。図示したように、ワイヤレスデバイス１６は、１つ以上のプロセッサ３６（例えば、ＣＰＵ、ＡＳＩＣ及び／又はＦＰＧＡなど）、メモリ３８、並びに、１つ以上のアンテナ４６へ連結される１つ以上の送信機４２及び１つ以上の受信機４４を各々含む１つ以上の送受信機４０を含む。いくつかの実施形態において、上述したワイヤレスデバイス１６の機能性は、全体的に又は部分的に、例えばメモリ３８内に記憶され及びプロセッサ３６により実行されるソフトウェアで実装されてもよい。
【０１５３】
いくつかの実施形態において、少なくとも１つのプロセッサにより実行された場合に、当該少なくとも１つのプロセッサに、ここで説明した実施形態のいずれかに係るワイヤレスデバイス１６の機能性を遂行させる命令、を含むコンピュータプログラムが提供される。いくつかの実施形態において、上述したコンピュータプログラムプロダクトを含む担体が提供される。その担体は、電子信号、光信号、無線信号又はコンピュータ読取可能な記憶媒体（例えば、メモリなどの、非一時的なコンピュータ読取可能な媒体）のうちの１つである。
【０１５４】
図２０は、本開示の他のいくつかの実施形態に係るワイヤレスデバイス１６の概略ブロック図である。ワイヤレスデバイス１６は、各々がソフトウェアで実装される１つ以上のモジュール４８を含む。それらモジュール４８は、ここで説明したワイヤレスデバイス１６（例えば、ＵＥ）の機能性を提供する。例えば、それらモジュール４８は、ここで説明した実施形態に従ってＰＵＣＣＨ送信信号を（ワイヤレスデバイス１６の関連付けられる送信機を介して）送信するように動作する１つ以上の送信又は送出モジュールを含む。それらモジュール４８は、ここで説明した実施形態に従ってＰＵＣＣＨフォーマット１ａ／１ｂ又はＰＵＣＣＨフォーマット３へのＰＵＣＣＨフォーマット４のフォールバックのためのフォールバック決定を行うように動作するフォールバックモジュールをさらに含んでもよい。
【０１５５】
本開示を通じて、次の頭字語が使用されている。
・３ＧＰＰ      Third  Generation  Partnership  Project
・５Ｇ          Fifth  Generation
・ＡＣＫ        Acknowledgement
・ＡＳＩＣ      Application  Specific  Integrated  Circuit
・ＣＡ          Carrier  Aggregation
・ＣＣ          Component  Carrier
・ＣＮ          Core  Network
・ＣＰＵ        Central  Processing  Unit
・ＣＳＩ        Channel  State  Information
・ＤＡＩ        Downlink  Assignment  Indicator
・ＤＣＩ        Downlink  Control  Information
・ＤＬ          Downlink
・ＤＭＲＳ      Demodulation  Reference  Signal
・ｅＮＢ        Enhanced  or  Evolved  Node  B
・ＥＰＤＣＣＨ  Enhanced  Physical  Downlink  Control  Channel
・ＦＤＤ        Frequency  Division  Duplex
・ＦＰＧＡ      Field  Programmable  Gate  Array
・ＧＨｚ        Gigahertz
・ＨＡＲＱ      Hybrid  Automatic  Repeat  Request
・ＬＡＡ        Licensed  Assisted  Access
・ＬＴＥ        Long  Term  Evolution
・ＬＴＥ−Ｕ    Long  Term  Evolution  in  Unlicensed  Spectrum
・ＭＨｚ        Megahertz
・ＭＭＥ        Mobility  Management  Entity
・ＭＴＣ        Machine  Type  Communication
・ＮＡＣＫ      Negative  Acknowledgment
・ＯＣＣ        Orthogonal  Cover  Code
・ＰＣＣ        Primary  Component  Carrier
・ＰＣｅｌｌ    Primary  Cell
・ＰＤＣＣＨ    Physical  Downlink  Control  Channel
・ＰＤＮ        Packet  Data  Network
・ＰＤＳＣＨ    Physical  Downlink  Shared  Channel
・Ｐ−ＧＷ      Packet  Data  Network  Gateway
・ＰＲＢ        Physical  Resource  Block
・ｐＳＣｅｌｌ  Primary  Secondary  Cell
・ＰＵＣＣＨ    Physical  Uplink  Control  Channel
・ＰＵＳＣＨ    Physical  Uplink  Shared  Channel
・ＲＡＮ        Radio  Access  Network
・ＲＥ          Resource  Element
・Ｒｅｌ−８    Release  8
・Ｒｅｌ−１０  Release  10
・Ｒｅｌ−１１  Release  11
・Ｒｅｌ−１２  Release  12
・Ｒｅｌ−１３  Release  13
・ＳＣＣ        Secondary  Component  Carrier
・ＳＣＥＦ      Service  Capability  Exposure  Function
・ＳＣｅｌｌ    Secondary  Cell
・ＳＲ          Scheduling  Request
・ＴＢＣＣ      Tail-Biting  Convolutional  Code
・ＴＤＤ        Time  Division  Duplex
・ＴＰＣ        Transmit  Power  Control
・ＵＣＩ        Uplink  Control  Information
・ＵＥ          User  Equipment
・ＵＬ          Uplink
・ＷＬＡＮ      Wireless  Local  Area  Network
【０１５６】
当業者は、本開示の実施形態について改善例及び修正例を認識するであろう。そうした全ての改善例及び修正例は、ここで開示した概念及び後に続く特許請求の範囲のスコープ内にあるものと考えられる。
【図１】
0006542910.tif 000023
【図２】
0006542910.tif 000024
【図３】
0006542910.tif 000025
【図４】
0006542910.tif 000026
【図５】
0006542910.tif 000027
【図６】
0006542910.tif 000028
【図７Ａ】
0006542910.tif 000029
【図７Ｂ】
0006542910.tif 000030
【図８】
0006542910.tif 000031
【図９】
0006542910.tif 000032
【図１０】
0006542910.tif 000033
【図１１】
0006542910.tif 000034
【図１２Ａ】
0006542910.tif 000035
【図１２Ｂ】
0006542910.tif 000036
【図１３】
0006542910.tif 000037
【図１４】
0006542910.tif 000038
【図１５Ａ】
0006542910.tif 000039
【図１５Ｂ】
0006542910.tif 000040
【図１６】
0006542910.tif 000041
【図１７】
0006542910.tif 000042
【図１８】
0006542910.tif 000043
【図１９】
0006542910.tif 000044
【図２０】
0006542910.tif 000045